(57)【要約】【課題】ＵＬ通信において、例えば送信ダイバーシティおよび空間ダイバーシティなどの、多入力多出力（ＭＩＭＯ）方式を使用することがある。ＵＬ通信においてＭＩＭＯを使用した場合、データビットおよび制御ビットの処理が複雑になる可能性がある。【解決手段】無線送受信ユニット（ＷＴＲＵ）における信号処理のための方法および装置は、複数のデータビットおよび複数の制御ビットを生成すること、データビットおよび制御ビットを１つまたは複数のコードワードにマッピングすること、データビットおよび制御ビットを多重化すること、ビットをレイヤに分けること、各コードワードのチャネル品質および各レイヤのチャネル品質に基づいて、制御ビットを各レイヤに割り当てること、ならびに１つまたは複数のアンテナへの出力のために、各レイヤをチャネルインタリーブすることを含む。【選択図】図６
2014064306.tif 000002
【特許請求の範囲】
【請求項１】
無線送受信ユニット（ＷＴＲＵ）におけるアップリンク送信の方法であって、
第１のトランスポートブロックおよび第２のトランスポートブロックを生成するステップであって、前記第１のトランスポートブロックは第１の複数のデータビットを含む、生成するステップと、
複数の制御ビットを含む制御情報を生成するステップであって、前記複数の制御ビットは、ランクインジケータ（ＲＩ）ビット、ハイブリッド自動再送要求（ＨＡＲＱ）肯定応答／否定応答（ＡＣＫ／ＮＡＣＫ）ビット、およびチャネル品質インジケータ（ＣＱＩ）ビットを含む、生成するステップと、
前記ＣＱＩビットを、前記第１の複数のデータビットとともに多重化して、複数の多重化されたビットを作成するステップと、
前記多重化されたビットを複数のレイヤのうちの第１のレイヤにマッピングするステップであって、前記第１のレイヤは第１の変調および符号化スキーム（ＭＣＳ）を有し、前記ＣＱＩビットは前記第１のＭＣＳに基づいて前記第１のレイヤに割り当てられる、マッピングするステップと、
前記ＲＩビット、前記ＨＡＲＱ  ＡＣＫ／ＮＡＣＫビット、および前記第２のトランスポートブロックを前記複数のレイヤのうちの第２のレイヤにマッピングするステップであって、前記第２のレイヤは第２のＭＣＳを有し、前記ＲＩビットおよびＨＡＲＱ  ＡＣＫ／ＮＡＣＫビットは前記複数の多重化されたビットの前記マッピングとは別にマッピングされ、前記複数の多重化されたビットは前記第２のレイヤにマッピングされない、マッピングするステップと、
前記複数のレイヤの各レイヤを、それの対応するアンテナにおいて送信するステップと
を備えることを特徴とする方法。
【請求項２】
前記第１の複数のデータビットは第１の複数の符号化されたデータビットであり、前記ＲＩビットは符号化されたＲＩビットであり、前記ＨＡＲＱ  ＡＣＫ／ＮＡＣＫビットは符号化されたＨＡＲＱ  ＡＣＫ／ＮＡＣＫビットであり、および前記ＣＱＩビットは符号化されたＣＱＩビットであることを特徴とする請求項１に記載の方法。
【請求項３】
前記複数の多重化されたビットを前記第１のレイヤにマッピングすることは、前記複数の多重化されたビットを前記複数のレイヤのサブセットのみにマッピングすることを含み、前記サブセットは前記第１のレイヤを含むことを特徴とする請求項１に記載の方法。
【請求項４】
前記第２のレイヤは、前記サブセットの一部ではないことを特徴とする請求項３に記載の方法。
【請求項５】
前記複数のレイヤのすべてのレイヤにわたって前記ＲＩビットおよび前記ＨＡＲＱ  ＡＣＫ／ＮＡＣＫビットを多重化するステップ
をさらに備えることを特徴とする請求項１に記載の方法。
【請求項６】
最高のＭＣＳを決定するステップと、
前記ＣＱＩビットを前記決定された最高のＭＣＳを有するレイヤに割り当てるステップと
をさらに備えることを特徴とする請求項１に記載の方法。
【請求項７】
前記第１のデータビットを複数のコードワードにマッピングするステップと、
各コードワードに関するチャネル品質を決定するステップと、
前記ＣＱＩビットを前記チャネル品質に基づいて各コードワードにマッピングするステップと
をさらに備えることを特徴とする請求項１に記載の方法。
【請求項８】
前記ＲＩビットおよび前記ＨＡＲＱ  ＡＣＫ／ＮＡＣＫビットが前記第１の複数のデータビットとともに多重化されないように、前記複数の制御ビットのうち、前記ＣＱＩビットのみを前記第１の複数のデータビットとともに多重化するステップ
をさらに備えることを特徴とする請求項１に記載の方法。
【請求項９】
前記チャネル品質は変調および符号化スキーム（ＭＣＳ）であり、
前記方法は、
最高のＭＣＳを決定するステップと、
前記ＣＱＩビットを前記決定された最高のＭＣＳを有するコードワードにマッピングするステップと
をさらに備えることを特徴とする請求項７に記載の方法。
【請求項１０】
前記ＣＱＩビットを前記ＲＩビットおよび前記ＨＡＲＱ  ＡＣＫ／ＮＡＣＫビットとは別にコードワードにマッピングするステップ
をさらに備えることを特徴とする請求項９に記載の方法。
【請求項１１】
プロセッサであって、
第１のトランスポートブロックおよび第２のトランスポートブロックを生成し、前記第１のトランスポートブロックは、第１の複数のデータビットを含み、
複数の制御ビットを含む制御情報を生成し、前記複数の制御ビットは、ランクインジケータ（ＲＩ）ビット、ハイブリッド自動再送要求（ＨＡＲＱ）肯定応答／否定応答（ＡＣＫ／ＮＡＣＫ）ビット、およびチャネル品質インジケータ（ＣＱＩ）ビットを含むように構成されたプロセッサと、
前記ＣＱＩビットを、前記第１の複数のデータビットとともに多重化して、複数の多重化されたビットを作成するように構成された第１のマルチプレクサと、
前記複数の多重化されたビットを複数のレイヤのうちの第１のレイヤにマッピングするように構成された第１の論理レイヤマッパーであって、前記第１のレイヤは第１の変調および符号化スキーム（ＭＣＳ）を有し、前記ＣＱＩビットは前記第１のＭＣＳに基づいて前記第１のレイヤに割り当てられる、第１の論理レイヤマッパーと、
前記ＲＩビット、前記ＨＡＲＱ  ＡＣＫ／ＮＡＣＫビット、および前記第２のトランスポートブロックを前記複数のレイヤのうちの第２のレイヤにマッピングするように構成された第２の論理レイヤマッパーであって、前記第２のレイヤは第２のＭＣＳを有し、さらに前記複数の多重化されたビットは前記第２のレイヤにマッピングされない、第２の論理レイヤマッパーと、
前記複数のレイヤの各レイヤをそれの対応するアンテナにおいて送信するように構成された送信機と
を備えたことを特徴とする無線送受信ユニット（ＷＴＲＵ）。
【請求項１２】
前記第１の複数のデータビットは第１の複数の符号化されたデータビットであり、前記ＲＩビットは符号化されたＲＩビットであり、前記ＨＡＲＱ  ＡＣＫ／ＮＡＣＫビットは符号化されたＨＡＲＱ  ＡＣＫ／ＮＡＣＫビットであり、および前記ＣＱＩビットは符号化されたＣＱＩビットであることを特徴とする請求項１１に記載のＷＴＲＵ。
【請求項１３】
前記第１の論理レイヤマッパーは、前記複数の多重化されたビットを前記複数のレイヤのサブセットのみにマッピングするようにさらに構成され、前記サブセットは前記第１のレイヤを含むことを特徴とする請求項１１に記載のＷＴＲＵ。
【請求項１４】
前記第２のレイヤは、前記サブセットの一部ではないことを特徴とする請求項１３に記載のＷＴＲＵ。
【請求項１５】
前記複数のレイヤのすべてのレイヤにわたって前記ＲＩおよび前記ＨＡＲＱ  ＡＣＫ／ＮＡＣＫビットを多重化するように構成された第２のマルチプレクサ
をさらに備えたことを特徴とする請求項１１に記載のＷＴＲＵ。
【請求項１６】
前記プロセッサは、
最高のＭＣＳを決定し、
前記ＣＱＩビットを前記決定された最高のＭＣＳを有するレイヤに割り当てるようにさらに構成されたことを特徴とする請求項１１に記載のＷＴＲＵ。
【請求項１７】
前記プロセッサは、
前記第１の複数のデータビットを複数のコードワードにマッピングし、
各コードワードに関するチャネル品質を決定するようにさらに構成され、
前記第１の論理レイヤマッパーは、前記ＣＱＩビットを前記チャネル品質に基づいて各コードワードにマッピングするようさらに構成されたことを特徴とする請求項１１に記載のＷＴＲＵ。
【請求項１８】
前記第１のマルチプレクサは、
前記ＲＩビットおよび前記ＨＡＲＱ  ＡＣＫ／ＮＡＣＫビットが前記第１の複数のデータビットとともに多重化されないように、前記制御ビットのうち、前記ＣＱＩビットのみを前記第１の複数のデータビットとともに多重化するようにさらに構成されたことを特徴とする請求項１１に記載のＷＴＲＵ。
【請求項１９】
前記チャネル品質は変調および符号化スキーム（ＭＣＳ）であり、
前記プロセッサは最高のＭＣＳを決定するようにさらに構成され、
前記第１の論理レイヤマッパーは前記ＣＱＩビットを前記決定された最高のＭＣＳを有するコードワードにマッピングするようにさらに構成されたことを特徴とする請求項１７に記載のＷＴＲＵ。
【請求項２０】
前記第２の論理レイヤマッパーは、前記ＲＩビットおよびＨＡＲＱビットが前記複数の多重化されたビットとは別に１つまたは複数のレイヤにマッピングされるように、前記ＲＩビットおよび前記ＨＡＲＱ  ＡＣＫ／ＮＡＣＫビットを前記第１の論理レイヤマッパーとは別にコードワードにマッピングするようにさらに構成されたことを特徴とする請求項１９に記載のＷＴＲＵ。
【発明の詳細な説明】
【技術分野】
【０００１】
本出願は、無線通信に関する。
【背景技術】
【０００２】
無線通信システムは、多くの技法を使用して、スループットおよびユーザサービスを向上させることができる。そのような技法の１つには、キャリアアグリゲーションがある。別の技法としては、柔軟な帯域幅をサポートすることができる。また別の技法としては、アップリンクデータチャネルおよびアップリンク制御チャネルの両方を同時に送信することができる。例えば、ロングタームエボリューションアドバンスト（ＬＴＥ−Ａ）準拠のシステムでは、物理アップリンク共用チャネル（ＰＵＳＣＨ）および物理アップリンク制御チャネル（ＰＵＣＣＨ）などのアップリンク（ＵＬ）チャネルは、同時に送信することができる。
【発明の概要】
【発明が解決しようとする課題】
【０００３】
他の技法としては、ＵＬ通信において、例えば送信ダイバーシティおよび空間ダイバーシティなどの、多入力多出力（ＭＩＭＯ）方式を使用することがある。ＵＬ通信においてＭＩＭＯを使用した場合、データビットおよび制御ビットの処理が複雑になる可能性がある。
【課題を解決するための手段】
【０００４】
無線送受信ユニット（ＷＴＲＵ）における信号処理のための方法および装置が開示される。これは、複数のデータビットおよび複数の制御ビットを生成することを含むことができる。データビットおよび制御ビットは、１つまたは複数のコードワードにマッピングすることができる。データビットおよび制御ビットは、多重化することができる。データビットおよび制御ビットは、レイヤに分けることができる。制御ビットは、各コードワードのチャネル品質および各レイヤのチャネル品質に基づいて、レイヤに割り当てることができる。各レイヤは、チャネルインタリーブを施して、１つまたは複数のアンテナに出力することができる。
【０００５】
より詳細な理解は、添付の図面に関連した例として与えられる以下の説明から得ることができよう。
【図面の簡単な説明】
【０００６】
【図１】進化型ユニバーサル移動体通信システム（ＵＭＴＳ）地上無線アクセスネットワーク（Ｅ−ＵＴＲＡＮ）の概要を示す図である。
【図２】複数の無線送受信ユニット（ＷＴＲＵ）と、ｅノードＢ（ｅＮＢ）とを含む、無線通信システムを示す図である。
【図３】図２の無線通信システムのＷＴＲＵおよびｅＮＢの機能ブロック図である。
【図４】一実施形態による、連続的な搬送波を用いるキャリアアグリゲーションを使用する無線通信システムの概要を示す図である。
【図５】別の実施形態による、非連続搬送波を用いるキャリアアグリゲーションを使用する無線通信システムの概要を示す図である。
【図６】一実施形態による、トランスポートブロック処理の方法のブロック図である。
【図７】一実施形態による、送信機のブロック図である。
【図８】別の実施形態による、トランスポートブロック処理の方法のブロック図である。
【図９】別の実施形態による、送信機のブロック図である。
【図１０】また別の実施形態による、トランスポートブロック処理の方法のブロック図である。
【図１１】代替実施形態による、トランスポートブロック処理の方法のブロック図である。
【図１２】一実施形態による、複数のレイヤおよびコードワードのための制御およびデータ多重化を示すブロック図である。
【図１３】一実施形態による、ＵＣＩビットマッピングの方法のブロック図である。
【図１４】また別の実施形態による、ＵＣＩビットマッピングの方法のブロック図である。
【図１５】また別の実施形態による、ＵＣＩビットマッピングの方法のブロック図である。
【図１６】また別の実施形態による、ＵＣＩビットマッピングの方法のブロック図である。
【図１７】また別の実施形態による、ＵＣＩビットマッピングの方法のブロック図である。
【図１８】また別の実施形態による、ＵＣＩビットマッピングの方法のブロック図である。
【図１９】また別の実施形態による、ＵＣＩビットマッピングの方法のブロック図である。
【図２０】また別の実施形態による、ＵＣＩビットマッピングの方法のブロック図である。
【図２１】また別の実施形態による、ＵＣＩビットマッピングの方法のブロック図である。
【図２２】また別の実施形態による、ＵＣＩビットマッピングの方法のブロック図である。
【図２３】また別の実施形態による、ＵＣＩビットマッピングの方法のブロック図である。
【図２４】また別の実施形態による、ＵＣＩビットマッピングの方法のブロック図である。
【図２５】また別の実施形態による、ＵＣＩビットマッピングの方法のブロック図である。
【図２６】また別の実施形態による、ＵＣＩビットマッピングの方法のブロック図である。
【図２７】また別の実施形態による、ＵＣＩビットマッピングの方法のブロック図である。
【図２８】また別の実施形態による、ＵＣＩビットマッピングの方法のブロック図である。
【発明を実施するための形態】
【０００７】
以降で言及する場合、「無線送受信ユニット（ＷＴＲＵ）」という用語は、ユーザ機器（ＵＥ）、移動局、固定もしくは移動加入者ユニット、ページャ、セルラ電話、携帯情報端末（ＰＤＡ）、コンピュータ、または無線環境で動作可能な他の任意のタイプのデバイスを含むが、これに限定されない。以降で言及する場合、「基地局」という用語は、ノードＢ、サイトコントローラ、アクセスポイント（ＡＰ）、または無線環境で動作可能な他の任意のタイプのインタフェースデバイスを含むが、これに限定されない。
【０００８】
図１は、従来技術の進化型ユニバーサル移動体通信システム（ＵＭＴＳ）地上無線アクセスネットワーク（Ｅ−ＵＴＲＡＮ）１００の概要を示している。図１は、Ｅ−ＵＴＲＡＮ  １００は、３つのｅノードＢ（ｅＮＢ）１０２を備えるように示しているが、Ｅ−ＵＴＲＡＮ  １００は任意の数のｅＮＢを備えることができる。ｅＮＢ  １０２は、Ｘ２インタフェース１０８によって相互に接続する。ｅＮＢ  １０２は、Ｓ１インタフェース１０６によって、進化型パケットコア（ＥＰＣ）１０４にも接続する。ＥＰＣ  １０４は、モビリティ管理エンティティ（ＭＭＥ）１１２と、サービングゲートウェイ（Ｓ−ＧＷ）１１０とを備える。さらに他のネットワーク構成を使用することもでき、本明細書にきさいしているものはいずれも、いずれか１つの特定のネットワーク構成またはアーキテクチャに限定されない。
【０００９】
無線通信システムでは、無線送受信ユニット（ＷＴＲＵ）は、ｅノードＢ（ｅＮＢ）と通信することができる。図２は、複数のＷＴＲＵ  ２１０と、ｅＮＢ  ２２０とを含む、無線通信システム２００を示している。図２に示すように、ＷＴＲＵ  ２１０は、ｅＮＢ  ２２０と通信する。図２には、３つのＷＴＲＵ  ２１０と１つのｅＮＢ  ２２０を示しているが、無線通信システム２００には、無線デバイスと有線デバイスの任意の組み合わせを含めることができることに留意されたい。
【００１０】
図３は、図２の無線通信システム２００のＷＴＲＵ  ２１０およびｅＮＢ  ２２０の機能ブロック図３００である。図２に示すように、ＷＴＲＵ  ２１０は、ｅＮＢ  ２２０と通信する。ＷＴＲＵ  ２１０は、単一の搬送波または複数の搬送波上で、送信および受信を行うように構成される。搬送波は、連続的または非連続的とすることができる。
【００１１】
通常のＷＴＲＵ内にあるコンポーネントに加えて、ＷＴＲＵ  ２１０は、プロセッサ３１５と、受信機３１６と、送信機３１７と、アンテナモジュール３１８とを備える。ＷＴＲＵ  ２１０は、ユーザインタフェース３２１も有することができ、ユーザインタフェース３２１は、ＬＣＤもしくはＬＥＤ画面、タッチスクリーン、キーボード、スタイラス、または他の任意の通常のユーザインタフェースデバイスを含むことができるが、これに限定されない。ＷＴＲＵ２１０は、揮発性および不揮発性のメモリ３１９も有することができる他、ＵＳＢポートおよびシリアルポートなど、他のＷＴＲＵとの入力／出力インタフェース３２０も有することができる。受信機３１６および送信機３１７は、プロセッサ３１５と通信する。アンテナモジュール３１８は、受信機３１６および送信機３１７の両方と通信して、無線データの送信および受信を支援する。アンテナモジュール３１８は、１つまたは複数のアンテナを有することができる。ＷＴＲＵ  ２１０は、プロセッサ３１５および送信機３１７と通信する電力増幅器モジュール３２２も有することができる。電力増幅器モジュール３２２は、単一または複数の電力増幅器を有することができる。また、これに代えて、電力増幅器モジュール３２２は、送信機３１７内に配置することもできる。
【００１２】
通常のｅＮＢ内にあるコンポーネントに加え、ｅＮＢ  ２２０は、プロセッサ３２５と、受信機３２６と、送信機３２７と、アンテナモジュール３２８とを備える。受信機３２６および送信機３２７は、プロセッサ３２５と通信する。アンテナモジュール３２８は、受信機３２６および送信機３２７の両方と通信して、無線データの送信および受信を支援する。アンテナモジュール３２８は、１つまたは複数のアンテナを有することができる。
【００１３】
図４は、一実施形態の連続的な搬送波４００を用いるキャリアアグリゲーションの概要を示している。個々の搬送波（４０２、４０４、４０６）は、利用可能な帯域幅を拡大させるために、一まとめにすることができる。各搬送波（４０２、４０４、４０６）内の変調データは、単一のＷＴＲＵ  ４２０内で、離散フーリエ変換（ＤＦＴ）ユニット４０８、逆高速フーリエ変換（ＩＦＦＴ）ユニット４１０、デジタルアナログ（Ｄ／Ａ）変換器ユニット４１２、および電力増幅器（ＰＡ）ユニット４１４によって処理することができる。
【００１４】
図５は、一実施形態のキャリアアグリゲーションを用いるアップリンクＭＩＭＯ  ５００の概要を示している。図５に示すように、第１の搬送波５０２は、第２の搬送波５０４および第３の搬送波５０６から周波数的に離れている。第１の搬送波５０２上で送信されるデータは、離散フーリエ変換（ＤＦＴ）ペア５０８によって処理され、コードワード−レイヤマッピングユニット５１０によって処理される。マッピングされたデータは、プリコーディングユニット５１２においてプリコードされ、逆高速フーリエ変換（ＩＦＦＴ）ペア５１４において処理され、複数のアンテナ５１６を介して送信される。第２の搬送波５０４および第３の搬送波５０６は、互いに接近しているので、ＤＦＴペア５１８を共用することができる。第２の搬送波５０４および第３の搬送波５０６にマッピングされる情報は、最初にＤＦＴペア５１８によって処理され、コードワード−レイヤマッピングユニット５２０において処理される。マッピングされた情報は、プリコーディングユニット５２２においてプリコードされ、ＩＦＦＴペア５２４によって処理された後、複数のアンテナ５２６において送信される。
【００１５】
複数の送信アンテナおよび複数のコードワードを使用するＵＬ通信では、データビットおよび制御ビットは、最適な性能を得るために多重化することができる。ハイブリッド自動再送要求（ＨＡＲＱ）送達確認／非送達確認（ＡＣＫ／ＮＡＣＫ）ビットは、時間的に復調参照信号の周辺にマッピングすることができるが、制御情報およびデータ情報は、異なる変調シンボルにマッピングすることができる。複数の送信アンテナを用いるＷＴＲＵは、例えば、ＭＩＭＯプリコーディングまたは送信ダイバーシティ方式など、いくつかのＭＩＭＯの技法を使用することができる。
【００１６】
図５に示すように、各コードワードは、別個のＤＦＴ演算を使用することができる。ＷＴＲＵが複数のコードワードおよび複数のアンテナとともに、２つ以上のＤＦＴ演算を使用する場合、符号化された制御情報および符号化されたデータ情報は、Ｎ個のレイヤに対応するＮ個のビット群のグループに分けることができ、Ｎ個のレイヤの各々は、制御情報を送信するために使用され、１≦Ｎ≦（データ送信のために使用されるレイヤの数）である。Ｎ＝１である場合、制御ビットはすべて、１つのレイヤ上に存在する。
【００１７】
変数Ｎは、制御ビットがコードワードの１つと同じレイヤにマッピングされるように、設定することができる。例えば、データビットのために３つのレイヤを使用することができるとする。２つのコードワードを使用する場合、１つのコードワードは、３つのレイヤのうちの第１のレイヤにマッピングすることができ、第２のコードワードは、３つのレイヤのうちの第２および第３のレイヤにマッピングすることができる。制御ビットは、第２のコードワードが使用する両方のレイヤにマッピングすることができる。
【００１８】
データビットと制御ビットの多重化は、レイヤ毎に実行することができる。制御ビットは、１つのレイヤにマッピングすることができ、または複数のレイヤ上に拡散させることができる。階数インジケータ（ＲＩ）ビットおよびＨＡＲＱ  ＡＣＫ／ＮＡＣＫビットを処理して、レイヤを形成することもできる。データビットおよび／または制御ビットを含む各レイヤは、レイヤ毎にチャネルインタリーバによって処理することができる。
【００１９】
図６は、一実施形態のトランスポートブロック処理の方法のブロック図である。レイヤがレイヤ毎に多重化されるのに先立って、レイヤマッピング機能において、符号化されたデータビットが、符号化された制御ビットとともに処理される。制御ビットは、すべてのレイヤにマッピングすることができ、または複数のコードワードを使用する場合は、コードワードによって区別することができる。
【００２０】
図６に示すように、第１のコードワードの１組の符号化されたデータビットを含む第１のトランスポートブロック（ＴＢ１）６０２が、巡回冗長検査（ＣＲＣ）付加ユニット６０４に入力される。ＣＲＣ付加ユニット６０４の出力は、符号ブロック分割および符号ブロックＣＲＣ付加ユニット６０６に入力される。信号は、チャネル符号化ユニット６０８においてチャネル符号化され、レートマッチングユニット６１０に入力される。レートマッチングユニットからの信号は、符号ブロック連結ユニット６１２において連結される。
【００２１】
第２のコードワードの１組の符号化されたデータビットを含む第２のトランスポートブロック６１４は、ＴＢ１  ６０２と同様に処理される。データは、ＣＲＣ付加ユニット６１６、符号ブロック分割および符号ブロックＣＲＣ付加ユニット６１８、チャネル符号化ユニット６２０、レートマッチングユニット６２２、および符号ブロック連結ユニット６２４によって処理される。
【００２２】
ＣＱＩおよびＰＭＩビット６２６は、チャネル符号化ユニット６２８において別途符号化される。ＲＩビット６３０は、別のチャネル符号化ユニット６３２において別途符号化される。ＨＡＲＱ  ＡＣＫ／ＮＡＣＫビット６３４は、また別のチャネル符号化ユニット６３６において符号化される。符号化されたデータビットおよび符号化された制御ビットは、論理レイヤマッピング機能６３８によって処理される。論理レイヤマッピング機能は、例えばより高いＭＣＳまたはＳＩＮＲなど、特定のルールまたは基準に従って、入力ストリーム（すなわち、データビットおよび／または制御ビット）を、１つまたは複数のレイヤにマッピングする。符号化されたデータビットおよび符号化された制御ビットは、Ｎ個のグループに分けられ、グループ毎にコードワードおよびレイヤにマッピングされる。ここで、Ｎは整数値である。Ｎ個のビットのグループは、Ｎ個のレイヤに対応する。
【００２３】
データおよび制御多重化が、データおよび制御多重化ユニット６４０において、データビットおよび制御ビットからなるグループまたはレイヤ毎に実行される。この処理は、レイヤ毎に実行される。データおよび制御多重化機能は、レイヤ固有として、レイヤ毎に異なる数の制御ビットおよびデータビットを処理することができる。
【００２４】
同様に、符号化されたＲＩビットも、論理レイヤマッピング機能６４２によって処理される。また、符号化されたＨＡＲＱビットも、論理レイヤマッピング機能６４４によって処理される。
【００２５】
各レイヤのすべてのビットは、チャネルインタリービング機能６４６によって処理される。図６に示すように、論理レイヤマッピング機能は、すべてのビットを、３つのレイヤのうちの１つにマッピングしている。インタリーブされた各レイヤが、個々に出力される（６４８）。
【００２６】
図７は、一実施形態の送信機７００のブロック図を示している。図７に示すように、ＴＢ１  ７０２からのデータは、ＣＲＣ付加ユニット７０４に入力され、第１のチャネル符号化ユニット７０６に入力される。符号化されたデータは、第１のレートマッチングユニット７０８によって処理される。
【００２７】
ＴＢ２  ７１０は、第２のＣＲＣ付加ユニットに入力され、その後第２のチャネル符号化ユニット７１４に入力される。符号化されたデータは、第２のレートマッチングユニット７１６によって処理される。
【００２８】
例えば、ＰＭＩおよびＣＱＩなど、制御情報７１８は、チャネル符号化ユニット７２０によってチャネル符号化され、レートマッチングユニット７２２においてレートマッチングされる。処理された制御情報、ＴＢ１からの処理されたデータ、およびＴＢ２からの処理されたデータは、レイヤマッピングユニット７２４において、レイヤへと処理される。
【００２９】
第１のデータおよび制御マルチプレクサ７２６ならびに第２のデータおよび制御マルチプレクサ７２８は各々、処理された制御およびデータ情報からなるレイヤを多重化する。例えば、ＲＩおよびＨＡＲＱ  ＡＣＫ／ＮＡＣＫなど、第２の制御情報の組７３０は、第２のレイヤマッピングユニット７３２において、レイヤにマッピングされる。第１のチャネルインタリーバ７３４および第２のチャネルインタリーバ７３６は各々、レイヤ化され、処理されたデータおよび制御情報をインタリーブする。第１の変調ユニット７３８および第２の変調ユニット７４０は各々、インタリーブされたデータおよび制御情報を変調する。変調されたデータおよび制御情報は、第１のＦＦＴユニット７４２および送信ＦＦＴユニット７４４によって処理される。パイロット信号７４６が、別のマルチプレクサ７４８およびさらに別のマルチプレクサ７５０において、変換されたデータおよび制御信号とともに多重化される。
【００３０】
プリコーディングユニット７５２は、多重化されたデータを処理し、符号化する。プリコーディングされたデータは、副搬送波マッピングユニット７５４において、ｅノードＢによって指定された副搬送波にマッピングされる。副搬送波マッピングユニットは、アンテナマッピングのために、マッピングされた副搬送波を出力する。各出力は、逆ＦＦＴユニット７５６、７５８およびサイクリックプレフィックスユニット７６０、７６２によって処理され、各アンテナにおいて送信される。
【００３１】
図８は、別の実施形態による、トランスポートブロック処理８００の方法のブロック図である。レイヤ処理ユニットにおいて処理されるのに先立って、制御ビットおよびデータビットが多重化される。制御ビットは、１つまたは複数のコードワードのデータビットとともに多重化することができる。制御ビットおよびデータビットは、１つまたは複数のレイヤにマッピングされ、レイヤの各々は、制御ビットおよびデータビットの両方を有する。
【００３２】
図８に示すように、ＴＢ１  ８０２が、ＣＲＣ付加ユニット８０４に入力される。ＣＲＣ付加ユニット８０４の出力は、符号ブロック分割および符号ブロックＣＲＣ付加ユニット８０６に入力される。データビットは、チャネル符号化ユニット８０８においてチャネル符号化され、レートマッチングユニット８１０に入力される。レートマッチングユニット８１０からの符号化されたビットは、符号ブロック連結ユニット８１２において連結される。
【００３３】
ＴＢ２  ８１４は、第２のコードワードの第２の符号化されたビットの組を有し、ＴＢ１  ８０２と同様に処理される。ＴＢ２  ８１４は、ＣＲＣ付加ユニット８１６、符号ブロック分割および符号ブロックＣＲＣ付加ユニット８１８、チャネル符号化ユニット８２０、レートマッチングユニット８２２、および符号ブロック連結ユニット８２４によって処理される。
【００３４】
ＣＱＩ／ＰＭＩビット８２６は、チャネル符号化ユニット８２８において別途符号化される。ＲＩビット８３０は、別のチャネル符号化ユニット８３２において別途符号化される。ＨＡＲＱ  ＡＣＫ／ＮＡＣＫビット８３４は、また別のチャネル符号化ユニット８３６において符号化される。符号化されたＲＩビットおよび符号化されたＨＡＲＱ  ＡＣＫ／ＮＡＣＫビットは各々、それぞれの論理マッピング機能（８３８、８４０）によって処理される。
【００３５】
論理マッピングに先立って、処理されたＣＱＩ／ＰＭＩビットおよび処理されたデータビットは、データおよび制御多重化ユニット８４２において多重化される。多重化されたデータビットおよびＣＱＩ／ＰＭＩビットは、論理レイヤマッピング機能８４４によって処理される。論理レイヤマッピング機能８４４は、符号化されたデータビットおよび符号化された制御ビットをＮ個のグループに分ける。ここで、Ｎは整数値である。Ｎ個のビット群のグループは、Ｎ個のレイヤに対応する。この処理は、レイヤ毎に実行される。すべてのレイヤのすべてのビットは、チャネルインタリービング機能８４６によって処理される。図８に示すように、論理レイヤマッピング機能（８３８、８４０、８４４）は、それぞれ、すべてのビットを適切なレイヤにマッピングしている。インタリーブされた各レイヤが、個々に出力される（８４８）。
【００３６】
図９は、別の実施形態による、送信機９００のブロック図を示している。ＴＢ１  ９０２は、ＣＲＣ付加ユニット９０４に入力され、第１のチャネル符号化ユニット９０６に入力される。符号化されたデータが、第１のレートマッチングユニット９０８によって処理される。
【００３７】
ＴＢ２  ９１０は、第２のＣＲＣ付加ユニット９１２に入力され、第２のチャネル符号化ユニット９１４に入力される。符号化されたデータが、第２のレートマッチングユニット９１６によって処理される。
【００３８】
例えば、ＰＭＩおよびＣＱＩなど、制御データ９１７は、チャネル符号化ユニット９１８によってチャネル符号化され、レートマッチングユニット９２０においてレートマッチングされる。第１のデータおよび制御マルチプレクサ９２１ならびに第２のデータおよび制御マルチプレクサ９２２は各々、処理された制御およびデータ情報を多重化する。多重化された情報は、レイヤマッピングユニット９２４において、レイヤへと処理される。例えば、ＲＩおよびＨＡＲＱ  ＡＣＫ／ＮＡＣＫなど、第２の１組の制御情報９２６は、レイヤマッピングユニット９２８において、レイヤにマッピングされる。第１のチャネルインタリーバ９３０および第２のチャネルインタリーバ９３２は各々、レイヤ化され、処理されたデータおよび制御情報をインタリーブする。第１の変調ユニット９３４および第２の変調ユニット９３６は各々、インタリーブされたデータおよび制御情報を変調する。変調されたデータおよび制御情報は、第１のＦＦＴユニット９３８および第２のＦＦＴユニット９４０によって処理される。パイロット信号９４２、９４４が、第１のマルチプレクサ９４６および第２のマルチプレクサ９４８において、変換されたデータおよび制御信号とともに多重化される。
【００３９】
プリコーディングユニット９５０は、多重化されたデータを処理し、符号化する。プリコーディングされたデータは、副搬送波マッピングユニット９５２において、ｅノードＢによって指定された副搬送波にマッピングされる。副搬送波マッピングユニットは、アンテナマッピング９５４のために、マッピングされた副搬送波を出力する。各出力は、ＩＦＦＴユニット９５６および（ＣＰ）ユニット９５８によって処理され、各アンテナ９５９において送信される。
【００４０】
図１０は、また別の実施形態による、トランスポートブロック処理１０００の方法のブロック図である。２つのコードワードを使用し、ＣＱＩ／ＰＭＩビットは、レイヤマッピングに先立って、コードワードにマッピングされ、データビットとともに多重化される。論理レイヤ機能は、各コードワードの符号化されたデータビットおよび制御ビットを、コードワード当たり少なくとも１つのレイヤに割り当てる。制御ビットを含む各レイヤに対して、チャネルインタリーバは、レイヤ毎にビットを処理する。
【００４１】
図１０に示すように、第１のコードワードについての１組の符号化されたビットを含む第１のトランスポートブロック（ＴＢ１）１００２が、ＣＲＣ付加ユニット１００４に入力される。ＣＲＣ付加ユニットの出力は、符号ブロック分割および符号ブロックＣＲＣ付加ユニット１００６に入力される。信号は、チャネル符号化ユニット１００８においてチャネル符号化され、レートマッチングユニット１０１０に入力される。レートマッチングユニットからの信号は、符号ブロック連結ユニット１０１２において連結される。
【００４２】
第２のコードワードの１組の符号化されたビットを含む第２のトランスポートブロック（ＴＢ２）１０１４は、ＴＢ１  １００２と同様に処理される。このデータは、ＣＲＣ付加ユニット１０１６、符号ブロック分割および符号ブロックＣＲＣ付加ユニット１０１８、チャネル符号化ユニット１０２０、レートマッチングユニット１０２２、および符号ブロック連結ユニット１０２４によって処理される。
【００４３】
ＣＱＩ／ＰＭＩビット１０２６は、チャネル符号化ユニット１０２８において別途符号化され、２つのコードワード上にマッピングされる。ＲＩビット１０３１は、別のチャネル符号化ユニット１０３２において別途符号化され、２つのコードワードにマッピングされる。ＨＡＲＱ  ＡＣＫ／ＮＡＣＫビット１０３０は、また別のチャネル符号化ユニット１０３４において符号化され、２つのコードワードにマッピングされる。
【００４４】
符号化されたデータビットおよび符号化されたＣＱＩ／ＰＭＩビットは、データおよび制御多重化ユニットにおいて多重化される。ＴＢ１  １００２からの処理されたデータビットは、第１のコードワードにマッピングされ、処理されたＣＱＩ／ＰＭＩビットとともに、第１の制御およびデータマルチプレクサ１０３６において多重化され、第１の制御およびデータマルチプレクサ１０３６とは別の符号およびデータマルチプレクサ１０３８が、ＴＢ２  １０１４からの処理されたデータビットを、第２のコードワードにマッピングされ、処理されたＣＱＩ／ＰＭＩビットとともに多重化するために使用される。
【００４５】
多重化された、ＴＢ１からのデータと第１のコードワードにマッピングされたＣＱＩ／ＰＭＩビットは、第１の論理レイヤマッピング機能１０４０において処理される。多重化された、ＴＢ２からのデータと第２のコードワードにマッピングされたＣＱＩ／ＰＭＩビットは、第２の論理レイヤマッピング機能１０４２において処理される。第１のコードワードにマッピングされた符号化されたＲＩビットおよび符号化されたＨＡＲＱビットは、論理レイヤマッピング機能１０４４によって処理される。第２のコードワードにマッピングされた符号化されたＲＩビットおよび符号化されたＨＡＲＱビットは、別の論理レイヤマッピング機能１０４６によって処理される。
【００４６】
第１のコードワードにマッピングされたすべてのビットは、チャネルインタリーバ１０４８によって処理され、インタリーブされたデータは、レイヤ毎に出力される。第２のコードワードにマッピングされたビットは、第２のチャネルインタリーバ１０５０によって処理され、レイヤ毎に出力される。
【００４７】
図１１は、別の実施形態のトランスポートブロック処理１１００の方法のブロック図である。符号化された制御ビットは、少なくとも２つのコードワードにマッピングされる。コードワード毎に、レイヤ機能は、ビットを論理レイヤに分ける。多重化は、レイヤ毎にプリフォームされ、レイヤの各々は、チャネルインタリーバ機能によって処理される。制御ビットは、データビットとともに多重化するのに先立って、レイヤ機能によって処理される。
【００４８】
第１のコードワードの第１の１組の符号化されたビットを含む第１のトランスポートブロック（ＴＢ１）１１０２が、ＣＲＣ付加ユニット１１０４に入力される。ＣＲＣ付加ユニットの出力は、符号ブロック分割および符号ブロックＣＲＣ付加ユニット１１０６に入力される。信号は、チャネル符号化ユニット１１０８においてチャネル符号化され、レートマッチングユニット１１１０に入力される。レートマッチングユニットからの信号は、符号ブロック連結ユニット１１１２において連結される。
【００４９】
第２のコードワードの第２の１組の符号化されたビットを含む第２のトランスポートブロック（ＴＢ２）１１１４は、ＴＢ１  １１０２と同様に処理される。データは、ＣＲＣ付加ユニット１１１６、符号ブロック分割および符号ブロックＣＲＣ付加ユニット１１１８、チャネル符号化ユニット１１２０、レートマッチングユニット１１２２、および符号ブロック連結ユニット１１２４によって処理される。
【００５０】
ＣＱＩ／ＰＭＩビット１１２６は、チャネル符号化ユニット１１２８において別途符号化され、２つのコードワード上にマッピングされる。ＲＩビット１１３０は、別のチャネル符号化ユニット１１３２において別途符号化され、２つのコードワードにマッピングされる。ＨＡＲＱ  ＡＣＫ／ＮＡＣＫビット１１３４は、また別のチャネル符号化ユニット１１３６において符号化され、２つのコードワードにマッピングされる。
【００５１】
多重化される、ＴＢ１からのデータと第１のコードワードにマッピングされたＣＱＩ／ＰＭＩビットは、第１の論理レイヤマッピング機能１１３８において処理され、各レイヤは、データおよび制御多重化ユニット１１４０において多重化される。多重化される、ＴＢ２からのデータと第２のコードワードにマッピングされた制御ビットとは、第２の論理レイヤマッピング機能１１４２において処理され、各レイヤは、第２のデータおよび制御多重化ユニット１１４４において多重化される。第１のコードワードにマッピングされたＲＩビットおよび第１のコードワードにマッピングされたＨＡＲＱビットは、論理レイヤマッピング機能１１４６によって処理される。第２のコードワードにマッピングされたＲＩビットおよび第２のコードワードにマッピングされたＨＡＲＱビットは、別の論理レイヤマッピング機能１１４８によって処理される。
【００５２】
第１のコードワードにマッピングされたすべてのビットは、チャネルインタリーバ１１５０によって処理され、インタリーブされたデータは、レイヤ毎に出力される。第２のコードワードにマッピングされたビットは、第２のチャネルインタリーバ１１５２によって処理され、レイヤ毎に出力される。
【００５３】
サブフレームが、物理アップリンク共用チャネルリソースを使用して送信される場合、データビットおよび制御ビットは、同じＵＬサブフレームにおいて送信することができる。データビットおよび制御ビットがＤＦＴによって処理される場合、両方が同じＤＦＴを使用しないことがある。一例では、データビットおよび制御ビットはともに、階数１プリコーディング（ｒａｎｋ  ｏｎｅ  ｐｒｅｃｏｄｉｎｇ）を使用することができる。ＷＴＲＵは、ＵＬ送信モードに関する情報に加えて、例えば、階数およびプリコーディング方式など、他のＵＬ情報も受信することができる。
【００５４】
データビットおよび制御ビットが別々のＤＦＴプロセッサを使用する場合、ＷＴＲＵは、データビットのために１つのＵＬ送信方式を使用し、制御ビットのために第２のＵＬ送信方式を使用することができる。例えば、制御ビットは、ＵＬ送信ダイバーシティを使用して送信することができ、ＵＬデータビットは、例えば、空間多重化など、別の方式を使用することができる。
【００５５】
図１２は、一実施形態の複数のレイヤおよびコードワードのための制御およびデータ多重化１２００を示すブロック図である。図１２では、２つのトランスポートブロックおよび２つのレイヤが存在する。しかし、この方法は、任意の数のトランスポートブロックおよび任意の数のレイヤに適用可能である。制御ビットは、各リソースブロックにおいて繰り返すこと、リソースブロックの間で多重化すること、またはただ１つのリソースブロックとともに多重化することができる。本明細書で使用される場合、「リソースブロック」という用語は、同じ無線リソースの複数のレイヤにマッピングできる仮想リソースブロックを表す。
【００５６】
図１２に示すように、第１のコードワード１２０２にマッピングされたデータは、第１のリソースブロック１２０４にマッピングされる。第２のコードワード１２０６にマッピングされたデータは、第２のリソースブロック１２０８にマッピングされる。符号化された制御情報１２１０は、逆多重化され、または繰り返して、第１のリソースブロック１２０４および第２のリソースブロック１２０８の各々にマッピングされる。あるいは、符号化された制御情報は、リソースブロックの一方のみにマッピングすることができる（図示せず）。符号化されたＨＡＲＱ  ＡＣＫ／ＮＡＣＫ情報１２１４および符号化されたＲＩ情報１２１６も、逆多重化または繰り返され（１２１８、１２２０）、第１のリソースブロック１２０４および第２のリソースブロック１２０８の各々にマッピングされる。あるいは、符号化されたＨＡＲＱ  ＡＣＫ／ＮＡＣＫ情報１２１４および符号化されたＲＩ情報１２１６は、リソースブロックの一方のみにマッピングすることができる（図示せず）。各リソースブロック１２０４、１２０８内の情報は、第１のＤＦＴ  １２２２および第２のＤＦＴ  １２２４、ならびに第１の副搬送波マッピングブロック１２２６および第２の副搬送波マッピングブロック１２２８によって処理することができ、副搬送波マッピングブロックにおいて、データビット、制御ビット、ＨＡＲＱビット、およびＲＩビットは、１つまたは複数の副搬送波にマッピングされる。この情報は、プリコーディングされ（１２３０）、第１の逆ＤＦＴ  １２３２および第２の逆ＤＦＴ  １２３４において処理される。
【００５７】
図１２に示すように、レイヤ毎に、ＨＡＲＱ情報は、両方のリソースブロック１２０４、１２０８内に存在することができ、アップリンク復調参照信号１２３６、１２３８周辺のリソースにマッピングされる。制御およびデータ情報は、各リソースブロック１２０４、１２０８内において、異なる変調シンボルにマッピングされる。
【００５８】
あるいは、アップリンク制御情報（ＵＣＩ）ビットは、複数のコードワードおよびレイヤを使用するシステムの場合、コードワード間に分散させることができる。あるいは、ＵＣＩビットは、単一のコードワードにマッピングすることもできる。各制御ビットは、逆多重化または繰り返して、各コードワードにマッピングすることができ、レイヤ化プロセスが、制御ビットをレイヤ間に分散させることができる。あるいは、各レイヤは、各制御ビットを含むことができ、各制御ビットは、レイヤ毎に１回、同様にコードワード毎に１回、繰り返すことができる。図１２は、２つのコードワードおよび２つのレイヤを使用する方法を示しているが、図１２に示した方法は、３つ以上のレイヤに拡張可能である。例えば、この方法は、３つのレイヤを含むことができ、コードワードの１つは、レイヤのうちの２つに分けられる。この制御情報は、最大３つのリソースブロック上で、データとともに多重化され、同様に、ＡＣＫ／ＮＡＣＫおよびＲＩも、１つ、２つ、または３つのリソースブロックにマッピングされる。
【００５９】
図１３は、別の実施形態による、ＵＣＩビットを送信する方法１３００のブロック図である。図１３は、２つ以上のアンテナのための２つのレイヤ、すなわち、階数２と、２つのコードワードと、すべてのレイヤにわたってマッピングされるＵＣＩビットとを使用するシステムを示している。
【００６０】
図１３に示すように、ＴＢ１  １３０２は、ＣＲＣ付加機能１３０４によって、符号ブロック分割および符号ブロックＣＲＣ付加機能１３０６によって処理される。処理されたＴＢ１ビットは、チャネル符号化ユニット１３０８によってチャネル符号化され、レートマッチングユニット１３１０においてレートマッチングされ、符号ブロック連結ユニット１３１２において連結される。ＣＱＩ／ＰＭＩビット１３１４は、チャネル符号化ユニット１３１６においてチャネル符号化され、２つのストリームにわたって繰り返される。処理されたＴＢ１ビットは、ＣＱＩ／ＰＭＩビットの（第１の）ストリームとともに、制御およびデータマルチプレクサ１３６０に入力される。多重化されたビットは、第１のレイヤマッピングユニット１３６２において、レイヤにマッピングされる。
【００６１】
ＴＢ２  １３２０は、第２のコードワードにマッピングされ、ＣＲＣ付加機能１３２２によって、その後、符号ブロック分割および符号ブロックＣＲＣ付加機能１３２４によって処理される。処理されたＴＢ２ビットは、チャネル符号化ユニット１３２６によってチャネル符号化され、レートマッチングユニット１３２８においてレートマッチングされ、符号ブロック連結ユニット１３３０において連結される。処理されたＴＢ２ビットは、ＣＱＩ／ＰＭＩビットの他の（第２の）ストリームとともに、第２のデータおよび制御マルチプレクサ１３３２において多重化される。多重化されたビットは、第２のレイヤマッピングユニット１３３４においてマッピングされる。
【００６２】
ＲＩビット１３３６およびＨＡＲＱ  ＡＣＫ／ＮＡＣＫビット１３３８は、チャネル符号化され（１３４０、１３４２）、２つのストリームにわたって繰り返され、第３および第４のレイヤマッピングユニット１３４４、１３４６において、それぞれ２つのレイヤにマッピングされる。マッピングされたＴＢ１ビット、ＣＱＩ／ＰＭＩビットの第１のストリーム、ＲＩビットの第１のストリーム、およびＨＡＲＱ  ＡＣＫ／ＮＡＣＫビットのストリームは、第１のチャネルインタリーバユニット１３４８においてインタリーブされ、アンテナマッピングユニット（図示せず）に出力される。アンテナマッピングユニットは、変調機能、副搬送波マッピング機能、プリコーディング機能、およびアンテナマッピング機能を含む。マッピングされたＴＢ２ビット、ＣＱＩ／ＰＭＩビットの第２のストリーム、ＲＩビットの第２のストリーム、およびＨＡＲＱ  ＡＣＫ／ＮＡＣＫビットの第２のストリームは、第２のチャネルインタリーバユニット１３５０においてインタリーブされ、アンテナマッピングユニット（図示せず）に出力される。
【００６３】
図１４は、一実施形態による、ＵＣＩビットマッピングの方法１４００のブロック図である。図１４は、１つのコードワードおよび２つのレイヤを使用する方法を示している。方法は、２つ以上のアンテナのための階数２符号化を使用し、ＵＣＩビットは、１つのレイヤにマッピングされる。ＴＢ１  １４０２は、ＣＲＣ付加機能１４０４によって、その後、符号ブロック分割および符号ブロックＣＲＣ付加機能１４０６によって処理される。処理されたＴＢ１ビットは、チャネル符号化ユニット１４０８によってチャネル符号化され、レートマッチングユニット１４１０においてレートマッチングされ、符号ブロック連結ユニット１４１２において連結される。符号ブロック連結ユニットの出力は、ＵＣＩビットとの多重化に合うように計算された長さを用いて、スプリッタ１４１１において２つのストリームに分けられる。第１のストリームは、長さがより長いストリームであり、レイヤマッピングユニット１４１４において、ＳＩＮＲが相対的により低い第１のレイヤにマッピングされる。第２のストリームは、チャネル符号化ユニット１４２０においてチャネル符号化されたＣＱＩ／ＰＭＩビット１４１８とともに、データおよび制御多重化ユニット１４１６において多重化される。ＲＩビット１４２２およびＨＡＲＱ  ＡＣＫ／ＮＡＣＫビット１４２４も、それぞれのチャネル符号化ユニット１４２６、１４２８においてチャネル符号化され、多重化された、ＣＱＩ／ＰＭＩビットおよび処理されたＴＢ１ビットとともに、第２のレイヤマッピングユニット１４３０において、ＳＩＮＲが相対的により高い第２のレイヤにマッピングされる。第１のレイヤマッピングユニットからのマッピングされたビットは、レイヤ毎に、チャネルインタリーバユニット１４３２によって処理され、第１のアンテナマッピングユニット１４３４に出力される。アンテナマッピングユニットは、変調機能、副搬送波マッピング機能、プリコーディング機能、およびアンテナマッピング機能を含む。第２のレイヤマッピングユニットからのマッピングされたビットは、第２のチャネルインタリーバユニット１４３６によって処理され、第２のアンテナマッピングユニット（図示せず）に出力される。
【００６４】
図１５は、代替の実施形態のＵＣＩビットマッピングの方法１５００のブロック図である。図１５では、少なくとも２つの送信アンテナを有する階数２のシステムに対応する２つのレイヤと、１つのコードワードが存在し、ＵＣＩビットは、２つのレイヤ間で分けられる。ＣＱＩ／ＰＭＩビットは、信号および干渉対雑音比（ＳＩＮＲ）が相対的により低いレイヤにおいて送信され、ＲＩおよびＡＣＫ／ＮＡＣＫビットは、ＳＩＮＲが相対的により高いレイヤにおいて送信される。
【００６５】
ＴＢ１  １５０２は、ＣＲＣ付加機能１５０４、ならびに符号ブロック分割および符号ブロックＣＲＣ付加機能１５０６によって処理される。処理されたＴＢ１ビットは、チャネル符号化ユニット１５０８によってチャネル符号化され、レートマッチングユニット１５１０においてレートマッチングされ、符号ブロック連結ユニット１５１２において連結される。符号ブロック連結ユニットの出力は、それぞれのチャネル符号化ユニット１５２０、１５２２においてチャネル符号化されたＲＩビット１５１６およびＨＡＲＱ  ＡＣＫ／ＮＡＣＫビット１５１８とともに、レイヤマッピングユニット１５１４において、ＳＩＮＲが相対的により高いレイヤにマッピングされる。符号ブロック連結ユニット１５１２の出力はまた、チャネル符号化ユニット１５２８においてチャネル符号化されたＣＱＩ／ＰＭＩビット１５２６とともに、データおよび制御多重化ユニット１５２４において多重化される。多重化されたビットは、レイヤマッピングユニット１５３０において、ＳＩＮＲが相対的により低いレイヤにマッピングされる。第１のレイヤマッピングユニット１５３０からのマッピングされたビットは、レイヤ毎に、チャネルインタリーバユニット１５３２によって処理され、第１のアンテナマッピングユニット１５３４に出力される。第２のレイヤマッピングユニット１５１４からのマッピングされたビットは、第２のチャネルインタリーバユニット１５３６によって処理され、第２のアンテナマッピングユニット（図示せず）に出力される。
【００６６】
図１６は、別の実施形態による、ＵＣＩビットを送信する方法１６００のブロック図である。図１６は、少なくとも２つの送信アンテナを含む階数２のシステムに対応する２つのレイヤと、コードワード当たり１つのレイヤとして構成される２つのコードワードと、１つのレイヤにマッピングされるＵＣＩビットとを使用するシステムを示している。ＵＣＩビットは、より高いＭＣＳインデックスを有するレイヤにマッピングされる。
【００６７】
図１６に示すように、ＴＢ１  １６０２は、ＣＲＣ付加機能１６０４によって、符号ブロック分割および符号ブロックＣＲＣ付加機能１６０６によって処理される。処理されたＴＢ１ビットは、チャネル符号化ユニット１６０８によってチャネル符号化され、レートマッチングユニット１６１０においてレートマッチングされ、符号ブロック連結ユニット１６１２において連結される。処理されたＴＢ１ビットは、チャネル符号化ユニット１６１６においてチャネル符号化されたＣＱＩ／ＰＭＩビット１６１５とともに、制御およびデータマルチプレクサ１６１４に入力される。多重化されたビットは、第１のレイヤマッピングユニット１６１８において、ＳＩＮＲが相対的により高い、すなわち、ＭＣＳがより高いレイヤにマッピングされる。ＲＩビット１６２０が、チャネル符号化され（１６２２）、ＨＡＲＱ  ＡＣＫ／ＮＡＣＫビット１６２４が、チャネル符号化される（１６２６）。符号化されたＲＩビットおよびＨＡＲＱ  ＡＣＫ／ＮＡＣＫビットも、第２のレイヤマッピングユニット１６２８において、ＳＩＮＲが相対的により高い、すなわち、ＭＣＳがより高いレイヤにマッピングされる。マッピングされたＴＢ１ビットおよびＵＣＩビットは、マッピングされたＲＩビットおよびＨＡＲＱ  ＡＣＫ／ＮＡＣＫビットとともに、チャネルインタリーバユニット１６３０においてインタリーブされ、単一のレイヤ出力が、第１のアンテナマッピングユニット（図示せず）に送信される。
【００６８】
ＴＢ２  １６３４は、第２のコードワードにマッピングされるデータを含み、ＣＲＣ付加機能１６３６、ならびに符号ブロック分割および符号ブロックＣＲＣ付加機能１６３８によって処理される。処理されたＴＢ２ビットは、チャネル符号化ユニット１６４０によってチャネル符号化され、レートマッチングユニット１６４２においてレートマッチングされ、符号ブロック連結ユニット１６４４において連結される。処理されたＴＢ２ビットは、レイヤマッピングユニット１６４６において、ＳＩＮＲが相対的により低い、すなわち、ＭＣＳがより低いレイヤにレイヤマッピングされ、チャネルインタリーバユニット１６４８においてインタリーブされる。処理されたＴＢ２ビットは、第２のアンテナマッピングユニット（図示せず）に出力される。
【００６９】
図１７は、別の実施形態による、ＵＣＩビットを送信する方法１７００のブロック図である。図１７は、少なくとも２つの送信アンテナを含む階数２のシステムに対応する２つのレイヤと、２つのコードワードとを使用するシステムを示している。ＣＱＩ／ＰＭＩビットは、ＳＩＮＲが相対的により低い、すなわち、ＭＣＳがより低いレイヤにマッピングされ、ＲＩビットおよびＨＡＲＱ  ＡＣＫ／ＮＡＣＫビットは、ＳＩＮＲが相対的により高い、すなわち、ＭＣＳがより高いレイヤにマッピングされる。この方法を用いると、ＲＩビットおよびＨＡＲＱ  ＡＣＫ／ＮＡＣＫビットの信頼性を向上させることができる。
【００７０】
図１７に示すように、ＴＢ１  １７０２は、ＣＲＣ付加機能１７０４、ならびに符号ブロック分割および符号ブロックＣＲＣ付加機能１７０６によって処理される。処理されたＴＢ１ビットは、チャネル符号化ユニット１７０８によってチャネル符号化され、レートマッチングユニット１７１０においてレートマッチングされ、符号ブロック連結ユニット１７１２において連結される。処理されたＴＢ１ビットは、チャネル符号化ユニット１７１８においてチャネル符号化されたＣＱＩ／ＰＭＩビット１７１６とともに、制御およびデータマルチプレクサ１７１４に入力される。多重化されたビットは、第１のレイヤマッピングユニット１７２０において、ＳＩＮＲが相対的により低い、すなわち、ＭＣＳがより低いレイヤにマッピングされる。マッピングされたＴＢ１ビットおよびＣＱＩ／ＰＭＩビットは、チャネルインタリーバユニット１７２５においてインタリーブされ、チャネルインタリーバ出力が、第１のアンテナマッピングユニット（図示せず）に送信される。
【００７１】
ＴＢ２  １７３２は、第２のコードワードにマッピングされ、ＣＲＣ付加機能１７３４によって、その後、符号ブロック分割および符号ブロックＣＲＣ付加機能１７３６によって処理される。処理されたＴＢ２ビットは、チャネル符号化ユニット１７３８によってチャネル符号化され、レートマッチングユニット１７４０においてレートマッチングされ、符号ブロック連結ユニット１７４２において連結される。処理されたＴＢ２ビットは、レイヤマッピングユニット１７４４においてレイヤマッピングされる。チャネル符号化されたＲＩビット１７２２およびＨＡＲＱ  ＡＣＫ／ＮＡＣＫビット１７２４は、処理されたＴＢ２データビットとともに合成されるが、第２のレイヤマッピングユニット１７２７によって、ＳＩＮＲが相対的により高い、すなわち、ＭＣＳがより高いレイヤにマッピングされる。マッピングされたビットは、チャネルインタリーバユニット１７４６においてインタリーブされ、第２のアンテナマッピングユニット（図示せず）に出力される。
【００７２】
図１７の代替の実施形態において、ＣＱＩ／ＰＭＩビットは、ＳＩＮＲが相対的により高い、すなわち、ＭＣＳがより高いレイヤにマッピングされる。ＲＩビットおよびＡＣＫ／ＮＡＣＫビットは、ＳＩＮＲが相対的により低い、すなわち、ＭＣＳがより低いレイヤにマッピングされる。この方法を用いると、ＣＱＩビットの信頼性を向上させることができる。
【００７３】
図１８は、別の実施形態による、ＵＣＩビットを送信する方法のブロック図である。図１８は、少なくとも３つの送信アンテナを有する階数３のシステムに対応する３つのレイヤと、２つのコードワードと、１つのレイヤにマッピングされるＵＣＩビットとを使用するシステムを示している。ＵＣＩビットは、レイヤ当たり最高のＭＣＳおよび最高のＳＩＮＲを有するレイヤにおいて送信される。第１のコードワードは、２つのレイヤにマッピングされる。第１のコードワードによって使用される、やはり最高のＳＩＮＲを有するレイヤが、ＵＣＩビットを含む。
【００７４】
符号化されたＴＢ１  １８０２は、ＣＲＣ付加機能１８０４により、その後、符号ブロック分割および符号ブロックＣＲＣ付加機能１８０６によって処理される。処理されたＴＢ１ビットは、チャネル符号化ユニット１８０８によってチャネル符号化され、レートマッチングユニット１８１０においてレートマッチングされ、符号ブロック連結ユニット１８１２において連結される。処理されたＴＢ１ビットは、２つのストリームに分けられ、一方のストリームは、チャネル符号化ユニット１８１６においてチャネル符号化されたＵＣＩビット１８１８とともに、制御およびデータマルチプレクサ１８１４に入力される。多重化されたビットは、第１のレイヤマッピングユニット１８２６において、ＭＣＳが相対的により高く、ＳＩＮＲもより低くレイヤにマッピングされる。チャネル符号化された階数表示ビットおよびＨＡＲＱ  ＡＣＫ／ＮＡＣＫビットも、第２のレイヤマッピングユニット１８２８において、ＭＣＳが相対的により高く、ＳＩＮＲもより高いレイヤにマッピングされる。マッピングされたＴＢ１ビットおよびＵＣＩビット（ＣＱＩ／ＰＭＩビット、階数表示ビット、およびＨＡＲＱ  ＡＣＫ／ＮＡＣＫビット）のグループは、チャネルインタリーバユニット１８３２においてインタリーブされ、アンテナマッピングユニット（図示せず）に出力される。アンテナマッピングユニットは、図７および図９に示したように、変調機能、副搬送波マッピング機能、プリコーディング機能、およびアンテナマッピング機能を備える。
【００７５】
ＴＢ２  １８３８は、第２のコードワードにマッピングされ、ＣＲＣ付加機能１８４０により、その後、符号ブロック分割および符号ブロックＣＲＣ付加機能１８４２によって処理される。処理されたＴＢ２ビットは、チャネル符号化ユニット１８４４によってチャネル符号化され、レートマッチングユニット１８４６においてレートマッチングされ、符号ブロック連結ユニット１８４８において連結される。処理されたＴＢ２ビットは、レイヤマッピングユニット１８５０において、ＭＣＳが相対的により低いレイヤにレイヤマッピングされ、チャネルインタリーバユニット１８５２においてインタリーブされる。処理されたＴＢ２ビットは、第２のコードワードにマッピングされ、アンテナマッピングユニット（図示せず）に出力される。
【００７６】
図１９は、別の実施形態による、ＵＣＩビットを送信する方法１９００のブロック図である。図１９では、システムは、２つのコードワードと、３つのレイヤ（すなわち、３つ以上の送信アンテナのための階数３）とを使用する。第１のコードワードは、より高いＭＣＳを有するので、ＴＢ１ビットとともに多重化されるＵＣＩビットは、第１のコードワードにマッピングされる。ＣＱＩ／ＰＭＩビットは、第１のコードワードの１つのレイヤにマッピングされ、第１のコードワードにはただ１つのレイヤが割り当てられるので、ＲＩビットおよびＡＣＫ／ＮＡＣＫビットも、第１のコードワードの同じレイヤにマッピングされる。
【００７７】
図１９に示すように、ＴＢ１  １９０２は、ＣＲＣ付加機能１９０４により、その後、符号ブロック分割および符号ブロックＣＲＣ付加機能１９０６によって処理される。処理されたＴＢ１ビットは、チャネル符号化ユニット１９０８によってチャネル符号化され、レートマッチングユニット１９１０においてレートマッチングされ、符号ブロック連結ユニット１９１２において連結される。処理されたＴＢ１ビットは、チャネル符号化ユニット１９３０においてチャネル符号化されたＵＣＩビット１９２８とともに、制御およびデータマルチプレクサ１９１４に入力される。多重化されたビットは、第１のレイヤマッピングユニット１９１６において、ＭＣＳが相対的により高いレイヤにマッピングされる。ＲＩビット１９２６およびＨＡＲＱ  ＡＣＫ／ＮＡＣＫビット１９２４は各々、それぞれのチャネル符号化ユニット１９２０、１９２２によって符号化される。チャネル符号化された階数表示ビットおよびＨＡＲＱ  ＡＣＫ／ＮＡＣＫビットも、第２のレイヤマッピングユニット１９１８において、ＭＣＳが相対的により高いレイヤにマッピングされる。マッピングされたＴＢ１ビットならびにＵＣＩビット（ＣＱＩ／ＰＭＩビット、階数表示ビット、およびＨＡＲＱ  ＡＣＫ／ＮＡＣＫビット）は、チャネルインタリーバユニット１９３２においてインタリーブされ、単一のレイヤ出力がアンテナマッピングユニット（図示せず）に送信される。
【００７８】
ＴＢ２  １９３６は、第２のコードワードにマッピングされ、ＣＲＣ付加機能１９３８により、その後、符号ブロック分割および符号ブロックＣＲＣ付加機能１９４０によって処理される。処理されたＴＢ２ビットは、チャネル符号化ユニット１９４２によってチャネル符号化され、レートマッチングユニット１９４４においてレートマッチングされ、符号ブロック連結ユニット１９４６において連結される。処理されたＴＢ２ビットは、スプリッタ１９４７において、２つのストリームに分けられ、それぞれレイヤマッピングユニット１９４８、１９５０においてレイヤマッピングされる。マッピングされたビットは、それぞれのチャネルインタリーバユニット１９５２、１９５４においてインタリーブされる。処理されたＴＢ２ビットは、２つのレイヤを有する第２のコードワードにマッピングされ、アンテナマッピングユニット（図示せず）に出力される。
【００７９】
図２０は、別の実施形態による、ＵＣＩ（ＣＱＩ／ＰＭＩ、ＲＩ、およびＨＡＲＱ  Ａ／Ｎ）ビットを送信する方法２０００のブロック図である。図２０は、３つ以上のアンテナのための３つのレイヤと、２つのコードワードと、第１のコードワードの２つのレイヤにマッピングされるＵＣＩビットとを使用するシステムを示している。ＵＣＩビットは、第１のコードワードの両方のレイヤにわたって繰り返される。または、ＵＣＩビットは、２つのグループに分けられ、各グループのビットが、ＭＣＳが相対的により高いコードワードのレイヤにそれぞれ分配される。各グループのビットサイズは、等しくすることができ、またはこれに代えて、レイヤのＳＩＮＲに基づいて決定することができる。
【００８０】
ＴＢ１  ２００２は、ＣＲＣ付加機能２００４により、その後、符号ブロック分割および符号ブロックＣＲＣ付加機能２００６によって処理される。処理されたＴＢ１ビットは、チャネル符号化ユニット２００８によってチャネル符号化され、レートマッチングユニット２０１０においてレートマッチングされ、符号ブロック連結ユニット２０１２において連結され、２つのグループに分けられる。処理されたＴＢ１ビットの各グループ、およびチャネル符号化ユニット２０１４においてチャネル符号化された繰り返されたＣＱＩ／ＰＭＩビット２０１３（または２つのグループに分けられたＣＱＩ／ＰＭＩビット）は、第１のデータおよび制御マルチプレクサ２０２０ならびに第２のデータおよび制御マルチプレクサ２０２２に入力される。多重化されたビットは、第３のチャネル符号化ユニット２０１６においてチャネル符号化された繰り返されたＲＩビット２０２４、および第４のチャネル符号化ユニット２０１８において符号化された繰り返されたＨＡＲＱ  ＡＣＫ／ＮＡＣＫビット２０２６（または２つのグループに分けられたチャネル符号化されたＲＩビットおよびＨＡＲＱ  ＡＣＫ／ＮＡＣＫビット）とともに、第１のレイヤマッピングユニット２０３０および第２のレイヤマッピングユニット２０３２において、ＭＣＳが相対的により高いレイヤにマッピングされる。
【００８１】
マッピングされたＴＢ１ビット、ＣＱＩ／ＰＭＩビット、ＲＩビット、およびＨＡＲＱ  ＡＣＫ／ＮＡＣＫビットは、第１および第２のチャネルインタリーバユニット２０３３、２０３４においてインタリーブされ、各レイヤ出力は、アンテナマッピングユニット（図示せず）に送信される。
【００８２】
ＴＢ２  ２０４０は、ただ１つのレイヤを有する第２のコードワードにマッピングされ、ＣＲＣ付加機能２０４２により、その後、符号ブロック分割および符号ブロックＣＲＣ付加機能２０４４によって処理される。処理されたＴＢ２ビットは、チャネル符号化ユニット２０４６によってチャネル符号化され、レートマッチングユニット２０４８においてレートマッチングされ、符号ブロック連結ユニット２０５０において連結される。処理されたＴＢ２ビットは、レイヤマッピングユニット２０５２において、ＭＣＳが相対的により低いレイヤにマッピングされ、チャネルインタリーバユニット２０５４においてインタリーブされる。処理されたＴＢ２ビットは、第２のコードワードにマッピングされ、アンテナマッピングユニット（図示せず）に出力される。
【００８３】
図２１は、別の実施形態による、ＵＣＩビットを送信する方法２１００のブロック図である。図２１は、３つ以上のアンテナのための３つのレイヤと、２つのコードワードと、ＭＣＳがより高いコードワードにマッピングされるＵＣＩビットとを使用するシステムを示している。ＭＣＳがより高いコードワードは、２つのレイヤにマッピングされる。ＣＱＩ／ＰＭＩビットは、ＭＣＳがより高いコードワード内のＳＩＮＲがより低いレイヤにマッピングされる。ＲＩビットおよびＡＣＫ／ＮＡＣＫビットは、ＭＣＳがより高いコードワード内のＳＩＮＲがより高いレイヤにマッピングされる。ＲＩビットおよびＡＣＫ／ＮＡＣＫビットの、（ＭＣＳがより高いコードワード内の）ＳＩＮＲがより高いレイヤ上へのマッピングは、ＲＩビットおよびＡＣＫ／ＮＡＣＫビットの受信信頼性を高める。
【００８４】
図２１に示すように、ＴＢ１は、ＣＲＣ付加機能２１０４により、その後、符号ブロック分割および符号ブロックＣＲＣ付加機能２１０６によって処理される。処理されたＴＢ１ビットは、チャネル符号化ユニット２１０８によってチャネル符号化され、レートマッチングユニット２１１０においてレートマッチングされ、符号ブロック連結ユニット２１１２において連結される。処理されたＴＢ１ビットは、２つのストリームに分けられ、一方のストリームは、チャネル符号化ユニット２１１８においてチャネル符号化されたＣＱＩ／ＰＭＩビット２１１６とともに、制御およびデータマルチプレクサ２１１４に入力される。多重化されたビットは、第１のレイヤマッピングユニット２１２０において、ＭＣＳが相対的により高いコードワード内のＳＩＮＲが相対的により低いレイヤにマッピングされる。ＲＩビット２１２４は、第２のチャネル符号化ユニット２１２６においてチャネル符号化される。ＨＡＲＱ  ＡＣＫ／ＮＡＣＫビット２１２８は、第３のチャネル符号化ユニット２１３０においてチャネル符号化される。チャネル符号化されたＲＩビットおよびＨＡＲＱ  ＡＣＫ／ＮＡＣＫビット、ならびに処理されたＴＢ１の他のストリームは、第２のレイヤマッピングユニット２１３２において、ＭＣＳが相対的により高いコードワード内のＳＩＮＲが相対的により高いレイヤにマッピングされる。第１のグループのマッピングされたＴＢ１ビット、およびＣＱＩ／ＰＭＩビットは、第１のチャネルインタリーバユニット２１３４においてインタリーブされ、単一のレイヤ出力が、第１のアンテナマッピングユニット２１３６に送信される。第２のグループのマッピングされたＴＢ１ビット、ならびにＲＩビットおよびＨＡＲＱ  ＡＣＫ／ＮＡＣＫビットは、第２のチャネルインタリーバユニット２１３８においてインタリーブされ、単一のレイヤ出力が、アンテナマッピングユニット（図示せず）に送信される。
【００８５】
ＴＢ２  ２１４２は、第２のコードワードにマッピングされ、ＣＲＣ付加機能２１４４により、その後、符号ブロック分割および符号ブロックＣＲＣ付加機能２１４６によって処理される。処理されたＴＢ２ビットは、チャネル符号化ユニット２１４８によってチャネル符号化され、レートマッチングユニット２１５０においてレートマッチングされ、符号ブロック連結ユニット２１５２おいて連結される。処理されたＴＢ２ビットは、レイヤマッピングユニット２１５４において、ＭＣＳが相対的により低い第２のコードワードのレイヤにマッピングされ、チャネルインタリーバユニット２１５６においてインタリーブされる。処理されたＴＢ２ビットは、第２のコードワードにマッピングされ、アンテナマッピングユニット（図示せず）に出力される。
【００８６】
図２２は、別の実施形態による、ＵＣＩビットを送信する方法２２００のブロック図である。図２２は、４つ以上のアンテナのための４つのレイヤ、すなわち、階数４と、２つのコードワードと、ＭＣＳおよびＳＩＮＲがより高いレイヤにマッピングされるＵＣＩビットとを使用するシステムを示している。
【００８７】
図２２に示すように、ＴＢ１は、ＣＲＣ付加機能２２０４によって、その後、符号ブロック分割および符号ブロックＣＲＣ付加機能２２０６によって処理される。処理されたＴＢ１ビットは、チャネル符号化ユニット２２０８によってチャネル符号化され、レートマッチングユニット２２１０においてレートマッチングされ、符号ブロック連結ユニット２２１２において連結される。処理されたＴＢ１ビットは、２つのストリームに分けられ、一方のストリームは、チャネル符号化ユニット２２１６においてチャネル符号化されたＣＱＩ／ＰＭＩビット２２１４とともに、制御およびデータマルチプレクサ２２１３に入力される。多重化されたビットは、第１のレイヤマッピングユニット２２１８において、ＭＣＳが相対的により高く、ＳＩＮＲがより高いレイヤにマッピングされる。ＲＩビット２２１９は、別のチャネル符号化ユニット２２２０においてチャネル符号化され、ＨＡＲＱ  ＡＣＫ／ＮＡＣＫビット２２２２は、また別のチャネル符号化ユニット２２２４においてチャネル符号化される。チャネル符号化されたＲＩビットおよびＨＡＲＱ  ＡＣＫ／ＮＡＣＫビットも、第１のレイヤマッピングユニット２２１８において、ＭＣＳが相対的により高く、ＳＩＮＲがより高い同じレイヤにマッピングされる。マッピングされたＴＢ１ビット、ＣＱＩ／ＰＭＩビット、ＲＩビット、およびＨＡＲＱ  ＡＣＫ／ＮＡＣＫビットは、チャネルインタリーバユニット２２２６においてインタリーブされ、単一のレイヤ出力が、アンテナマッピングユニット（図示せず）に送信される。処理されたＴＢ１の他のストリームのビットも、第２のレイヤマッピングユニット２２３０において、ＭＣＳがより高く、ＳＩＮＲが相対的により低いレイヤにマッピングされる。マッピングされたビットは、チャネルインタリーバユニットにおいてインタリーブされ、アンテナマッピングユニット（図示せず）に出力される。
マッピングユニット（図示せず）に送信される。
【００８８】
ＴＢ２  ２２３４は、第２のコードワードにマッピングされ、ＣＲＣ付加機能２２３６により、その後、符号ブロック分割および符号ブロックＣＲＣ付加機能２２３８によって処理される。処理されたＴＢ２ビットは、チャネル符号化ユニット２２４０によってチャネル符号化され、レートマッチングユニット２２４２においてレートマッチングされ、符号ブロック連結ユニット２２４４において連結される。処理されたＴＢ２ビットは、２つのグループに分けられる。両方のグループのビットは、それぞれのレイヤマッピングユニット２２４６、２２４８において、ＭＣＳがより低い２つのレイヤにそれぞれマッピングされ、チャネルインタリーバユニット２２５０、２２５２においてインタリーブされる。処理されたＴＢ２ビットは、第２のコードワードにマッピングされ、その後、アンテナマッピングユニット（図示せず）に出力される。
【００８９】
図２３は、別の実施形態による、ＵＣＩ（ＣＱＩ／ＰＭＩ、ＲＩ、およびＨＡＲＱ  Ａ／Ｎ）ビットを送信する方法２３００のブロック図である。図２３は、２つのコードワードと、４つ以上のアンテナのための４つのレイヤ、すなわち、階数４と、１つのコードワードおよび２つのレイヤにマッピングされるＵＣＩビットとを使用するシステムを示している。ＵＣＩビットは、繰り返され、ＭＣＳが相対的により高いコードワードの両方のレイヤにマッピングされる。または、ＵＣＩビットは、２つのストリームに分けられ、各ストリームのビットは、ＭＣＳがより高いコードワードのレイヤにそれぞれ分配される。ストリームは、等しい長さとすることができ、または代替として、それらの長さは、レイヤのＳＩＮＲに基づいて、決定される。
【００９０】
図２３に示すように、ＴＢ１  ２３０２は、ＣＲＣ付加機能２３０４によって、その後、符号ブロック分割および符号ブロックＣＲＣ付加機能２３０６によって処理される。処理されたＴＢ１ビットは、チャネル符号化ユニット２３０８によってチャネル符号化され、レートマッチングユニット２３１０においてレートマッチングされ、符号ブロック連結ユニット２３１２において連結され、その後、２つのグループに分けられる。その後、処理されたＴＢ１ビットの各グループ、およびチャネル符号化ユニット２３１６においてチャネル符号化された繰り返されたＣＱＩ／ＰＭＩビット２３１４（または２つのグループに分けられたＣＱＩ／ＰＭＩビット）は、第１の制御およびデータマルチプレクサ２３１８ならびに第２の制御およびデータマルチプレクサ２３２０に入力される。その後、多重化されたビットは、第１のレイヤマッピングユニット２３２２および第２のレイヤマッピングユニット２３２４において、ＭＣＳが相対的により高い２つのレイヤにマッピングされる。ＲＩビット２３２６は、別のチャネル符号化ユニット２３２８においてチャネル符号化され、ＨＡＲＱ  ＡＣＫ／ＮＡＣＫビット２３３０は、また別のチャネルコーダ２３３２においてチャネル符号化される。チャネル符号化されたＲＩビットおよびＨＡＲＱ  ＡＣＫ／ＮＡＣＫビットも、第１および第２のレイヤマッピングユニット２３２２、２３２４において、ＭＣＳが相対的により高い各レイヤにマッピングされる。マッピングされたＴＢ１ビット、ＵＣＩビット、ＲＩビット、およびＨＡＲＱ  ＡＣＫ／ＮＡＣＫビットは、第１のインタリービングユニット２３３４および第２のチャネルインタリーバユニット２３３６においてインタリーブされ、各チャネルインタリーバユニットの出力は、アンテナマッピングユニット（図示せず）に出力される。
【００９１】
ＴＢ２  ２３４２は、第２のコードワードにマッピングされ、ＣＲＣ付加機能２３４４によって、その後、符号ブロック分割および符号ブロックＣＲＣ付加機能２３４６によって処理される。処理されたＴＢ２ビットは、チャネル符号化ユニット２３４８によってチャネル符号化され、レートマッチングユニット２３５０においてレートマッチングされ、符号ブロック連結ユニット２３５２において連結される。処理されたＴＢ２ビットは、２つのグループに分けられ、その後、第１および第２のレイヤマッピングユニット２３５４、２３５６それぞれにおいて、ＭＣＳが相対的により低いレイヤにマッピングされ、第１および第２のチャネルインタリーバユニット２３５８、２３６０においてインタリーブされる。処理されたＴＢ２ビットは、第２のコードワードにマッピングされ、アンテナマッピングユニット（図示せず）に出力される。
【００９２】
図２４は、別の実施形態による、ＵＣＩビットを送信する方法のブロック図である。図２４は、４つ以上のアンテナのための４つのレイヤと、２つのコードワードと、最高のＭＣＳを有するコードワードの２つのレイヤの間で分けられるＵＣＩビットとを使用するシステムを示している。ＣＱＩ／ＰＭＩビットは、ＳＩＮＲがより低い第１のレイヤにマッピングされる。ＲＩビットおよびＡＣＫ／ＮＡＣＫビットは、ＳＩＮＲがより高い第２のレイヤにマッピングされる。ＴＢのデータビットは、２つのグループに分けられ、両方のレイヤにマッピングされる。データビット、ならびに制御ビットのＲＩおよびＨＡＲＱ  Ａ／Ｎは、異なるプリコーディング方式を用いて処理することができる。
【００９３】
図２４に示すように、ＴＢ１  ２４０２は、ＣＲＣ付加機能２４０４によって、その後、符号ブロック分割および符号ブロックＣＲＣ付加機能２４０６によって処理される。処理されたＴＢ１ビットは、チャネル符号化ユニット２４０８によってチャネル符号化され、レートマッチングユニット２４１０においてレートマッチングされ、符号ブロック連結ユニット２４１２において連結される。処理されたＴＢ１ビットは、２つのグループに分けられ、グループのビットは、チャネル符号化ユニット２４１６においてチャネル符号化されたＣＱＩ／ＰＭＩビット２４１４とともに、制御およびデータマルチプレクサ２４１３に入力される。その後、多重化されたビットは、第１のレイヤマッピングユニット２４１８において、相対的にＭＣＳがより高く、ＳＩＮＲがより低いレイヤにマッピングされる。他のチャネルコーダ２４３０、２４３２においてチャネル符号化されたＲＩビット２４２６およびＨＡＲＱ  ＡＣＫ／ＮＡＣＫビット２４２８も、他のグループの処理されたＴＢ１ビットとともに、第２のレイヤマッピングユニット２４２０において、相対的にＭＣＳがより高く、ＳＩＮＲがより高いレイヤにマッピングされる。第１のグループのマッピングされたＴＢ１ビット、およびＣＱＩ／ＰＭＩビットは、第１のチャネルインタリーバユニット２４２２においてインタリーブされる。第２のグループのマッピングされたＴＢ１ビットは、ＲＩビットおよびＨＡＲＱ  ＡＣＫ／ＮＡＣＫビットとともに、第２のチャネルインタリーバユニット２４２４においてインタリーブされる。各チャネルインタリーバ２４２２、２４２４の出力は、アンテナマッピングユニット（図示せず）に送信される。
【００９４】
ＴＢ２  ２４５０は、第２のコードワードにマッピングされ、ＣＲＣ付加機能２４５２によって、その後、符号ブロック分割および符号ブロックＣＲＣ付加機能２４５４によって処理される。処理されたＴＢ２ビットは、チャネル符号化ユニット２４５６によってチャネル符号化され、レートマッチングユニット２４５８においてレートマッチングされ、符号ブロック連結ユニット２４６０において連結される。処理されたＴＢ２ビットは、２つのグループに分けられ、第１のレイヤマッピングユニット２４６２および第２のレイヤマッピングユニット２４６４において、ＭＣＳがより低い２つのレイヤにレイヤマッピングされ、第１のチャネルインタリービングユニット２４６６および第２のチャネルインタリーバユニット２４６８においてインタリーブされる。インタリーブされたＴＢ２ビットは、アンテナマッピングユニット（図示せず）に出力される。
【００９５】
図２５は、別の実施形態による、ＵＣＩビットを送信する方法２５００のブロック図である。図２５は、２つ以上のアンテナのための２つのレイヤ、すなわち、階数２と、１つのコードワードと、２つのレイヤにわたってマッピングされるＵＣＩビットとを使用するシステムを示している。ＵＣＩビットは、すべてのレイヤおよびすべてのコードワードにわたって繰り返され、または分配される。分配方式は、コードワード当たりもしくはレイヤ当たり等しい量の制御ビットを使用することができ、または例えば、ＭＣＳ、トランスポートブロックサイズ、もしくはＳＩＮＲなど、パラメータに基づいた数の制御ビットを各レイヤもしくはコードワードに割り当てることができる。
【００９６】
図２５に示すように、ＴＢ１  ２５０２は、ＣＲＣ付加機能２５０４によって、その後、符号ブロック分割および符号ブロックＣＲＣ付加機能２５０６によって処理される。処理されたＴＢ１ビットは、チャネル符号化ユニット２５０８によってチャネル符号化され、レートマッチングユニット２５１０においてレートマッチングされ、符号ブロック連結ユニット２５１２において連結される。ＵＣＩビット２５１４、２５１６、２５１８は、チャネル符号化ユニット２５２０、２５２２、２５２４においてそれぞれチャネル符号化される。処理されたＴＢ１ビットは、２つのストリームに分けられる。ＵＣＩビットは、それぞれ２つのストリームに繰り返され、または分けられる。ＴＢ１のストリームのビットは、繰り返されたまたは分けられたＣＱＩ／ＰＭＩビットのストリームとともに、第１および第２の制御およびデータマルチプレクサ２５２６、２５２８に入力される。その後、多重化されたビットは、繰り返されたまたは分けられた、符号化されたＲＩビットおよび符号化されたＨＡＲＱ  ＡＣＫ／ＮＡＣＫビットとともに、第１および第２のレイヤマッピングユニット２５３０、２５３２において、２つのレイヤにマッピングされる。マッピングされたＴＢ１ビット、ＣＱＩ／ＰＭＩビット、ＲＩビット、およびＨＡＲＱ  ＡＣＫ／ＮＡＣＫビットは、第１および第２のチャネルインタリーバユニット２５３４、２５３６において処理され、その後、アンテナマッピングユニット（図示せず）に送信される。
【００９７】
図２６は、別の実施形態による、ＵＣＩビットを送信する方法２６００のブロック図である。図２６は、２つ以上のアンテナのための２つのレイヤ、すなわち、階数２と、２つのコードワードと、すべてのレイヤにわたってマッピングされるＵＣＩビットとを使用するシステムを示している。
【００９８】
図２６に示すように、ＴＢ１  ２６０２は、ＣＲＣ付加機能２６０４によって、その後、符号ブロック分割および符号ブロックＣＲＣ付加機能２６０６によって処理される。処理されたＴＢ１ビットは、チャネル符号化ユニット２６０８によってチャネル符号化され、レートマッチングユニット２６１０においてレートマッチングされ、符号ブロック連結ユニット２６１２において連結される。ＣＱＩ／ＰＭＩビット２６１４は、チャネル符号化ユニット２６１６においてチャネル符号化され、２つのストリームにわたって分けられる。その後、処理されたＴＢ１ビットは、ＣＱＩ／ＰＭＩビットの（第１の）ストリームとともに、制御およびデータマルチプレクサ２６６０に入力される。その後、多重化されたビットは、第１のレイヤマッピングユニット２６６２において、レイヤにマッピングされる。
【００９９】
ＴＢ２  ２６２０は、第２のコードワードにマッピングされ、ＣＲＣ付加機能２６２２によって、その後、符号ブロック分割および符号ブロックＣＲＣ付加機能２６２４によって処理される。処理されたＴＢ２ビットは、チャネル符号化ユニット２６２６によってチャネル符号化され、レートマッチングユニット２６２８においてレートマッチングされ、符号ブロック連結ユニット２６３０において連結される。処理されたＴＢ２ビットは、第２のデータおよび制御マルチプレクサ２６３２において、ＣＱＩ／ＰＭＩビットの他の（第２の）ストリームとともに多重化される。多重化されたビットは、第２のレイヤマッピングユニット２６３４においてマッピングされる。
【０１００】
ＲＩビット２６３６およびＨＡＲＱ  ＡＣＫ／ＮＡＣＫビット２６３８は、チャネル符号化され（２６４０、２６４２）、２つのストリームにわたって分けられ、第３および第４のレイヤマッピングユニット２６４４、２６４６において、それぞれ２つのレイヤにマッピングされる。マッピングされたＴＢ１ビット、第１のストリームのＣＱＩ／ＰＭＩビット、第１のストリームのＲＩビット、および第１のストリームのＨＡＲＱ  ＡＣＫ／ＮＡＣＫビットは、第１のチャネルインタリーバユニット２６４８においてインタリーブされ、アンテナマッピングユニット（図示せず）に出力される。マッピングされたＴＢ２ビット、第２のストリームのＣＱＩ／ＰＭＩビット、第２のストリームのＲＩビット、および第２のストリームのＨＡＲＱ  ＡＣＫ／ＮＡＣＫビットは、第２のチャネルインタリーバユニット２６５０においてインタリーブされ、アンテナマッピングユニット（図示せず）に出力される。
【０１０１】
図２７は、別の実施形態による、ＵＣＩビットを送信する方法２７００のブロック図である。図２７は、３つ以上のアンテナのための３つのレイヤ、すなわち、階数３と、２つのコードワードと、３つのレイヤにわたってマッピングされるＵＣＩビットとを用いるシステムを示している。
【０１０２】
図２７に示すように、ＴＢ１  ２７０２は、ＣＲＣ付加機能２７０４によって、その後、符号ブロック分割および符号ブロックＣＲＣ付加機能２７０６によって処理される。処理されたＴＢ１ビットは、チャネル符号化ユニット２７０８によってチャネル符号化され、レートマッチングユニット２７１０においてレートマッチングされ、符号ブロック連結ユニット２７１２において連結される。処理されたＴＢ１ビットは、２つのストリームに分けられる。ＵＣＩビット２７１４、２７１６、２７１８は、それぞれチャネル符号化ユニット２７２０、２７２２、２７２４においてチャネル符号化され、それぞれ３つのストリームに繰り返され、または分けられる。ＴＢ１の２つのグループのビットは、ＣＱＩ／ＰＭＩビットの２つのグループとともに、第１および第２の制御およびデータマルチプレクサ２７２６、２７２８に入力される。その後、多重化されたビットは、符号化されたＲＩビットおよび符号化されたＨＡＲＱ  ＡＣＫ／ＮＡＣＫビットの２つのストリームとともに、第１および第２のレイヤマッピングユニット２７３０、２７３２において、２つのレイヤにマッピングされる。各レイヤマッピングユニットの出力は、チャネルインタリービングユニット２７３４、２７３６によって処理され、その後、アンテナマッピングユニット（図示せず）に送信される。
【０１０３】
ＴＢ２  ２７４０は、第２のコードワードにマッピングされ、ＣＲＣ付加機能２７４２によって、その後、符号ブロック分割および符号ブロックＣＲＣ付加機能２７４４によって処理される。処理されたＴＢ２ビットは、チャネル符号化ユニット２７４６によってチャネル符号化され、レートマッチングユニット２７４８においてレートマッチングされ、符号ブロック連結ユニット２７５０において連結される。処理されたＴＢ２ビットは、第３のデータおよび制御マルチプレクサ２７５２において、符号化されたＣＱＩ／ＰＭＩビットの残りの／第３のストリームとともに多重化される。多重化されたＴＢ２ビットおよびＣＱＩ／ＰＭＩビットは、符号化されたＲＩビットおよびＨＡＲＱ  ＡＣＫ／ＮＡＣＫビットの残りの／第３のストリームとともに、レイヤマッピングユニット２７５４においてマッピングされる。各レイヤマッピングユニットの出力は、チャネルインタリービングユニット２７５６によって処理され、その後、アンテナマッピングユニット（図示せず）に送信される。
【０１０４】
図２８は、別の実施形態による、ＵＣＩビットを送信する方法２８００のブロック図である。図２８は、４つ以上のアンテナのための４つのレイヤ、すなわち、階数４と、２つのコードワードと、４つのレイヤにわたってマッピングされるＵＣＩビットとを用いるシステムを示している。
【０１０５】
図２８に示すように、ＴＢ１  ２８０２は、ＣＲＣ付加機能２８０４によって、その後、符号ブロック分割および符号ブロックＣＲＣ付加機能２８０６によって処理される。処理されたＴＢ１ビットは、チャネル符号化ユニット２８０８によってチャネル符号化され、レートマッチングユニット２８１０においてレートマッチングされ、符号ブロック連結ユニット２８１２において連結される。処理されたＴＢ１ビットは、２つのストリームに分けられる。ＵＣＩビット２８１４、２８１６、２８１８は、それぞれチャネル符号化ユニット２８２０、２８２２、２８２４においてチャネル符号化され、それぞれ４つのストリームに繰り返され、または分けられる。ＴＢ１の２つのストリームのビットは、ＣＱＩ／ＰＭＩビットの２つのストリームとともに、第１および第２の制御およびデータマルチプレクサ２８２６、２８２８に入力される。多重化された各ビットストリームは、符号化されたＲＩビットの１つのストリームおよび符号化されたＨＡＲＱ  ＡＣＫ／ＮＡＣＫビットの１つのストリームとともに、レイヤマッピングユニット２８３０、２８３２において、第１および第２のレイヤの一方にマッピングされる。第１および第２のレイヤマッピングユニット２８３０、２８３２の各々の出力は、それぞれのチャネルインタリービングユニット２８３４、２８３６によって処理され、アンテナマッピングユニット（図示せず）に送信される。
【０１０６】
ＴＢ２  ２８４０は、第２のコードワードにマッピングされ、ＣＲＣ付加機能２８４２により、その後、符号ブロック分割および符号ブロックＣＲＣ付加機能２８４４によって処理される。処理されたＴＢ２ビットは、チャネル符号化ユニット２８４６によってチャネル符号化され、レートマッチングユニット２８４８においてレートマッチングされ、符号ブロック連結ユニット２８５０において連結される。処理されたＴＢ２ビットは、２つのストリームに分けられる。その後、処理されたＴＢ２ビットは、ＣＱＩ／ＰＭＩビットの２つの残りのストリームとともに、第３および第４の制御およびデータマルチプレクサ２８５４、２８５６に入力される。多重化された各ビットストリームは、符号化されたＲＩビットの１つのストリームおよび符号化されたＨＡＲＱ  ＡＣＫ／ＮＡＣＫビットの１つのストリームとともに、第３および第４のレイヤマッピングユニット２８５８、２８６０において、レイヤにマッピングされる。各レイヤマッピングユニットの出力は、第３および第４のチャネルインタリービングユニット２８６２、２８６４によって処理され、アンテナマッピングユニット（図示せず）に送信される。
【０１０７】
制御ビットがデータビットとともに多重化される場合、制御ビットは、データビットとは異なるＭＩＭＯモードを使用して送信することができる。これは、ビットが１つのサブフレーム内で送信される場合であっても行うことができる。例えば、制御ビットは、送信ダイバーシティを使用して送信することができ、データビットのためには、プリコーディングＭＩＭＯモードを使用する。ＷＴＲＵは、どのタイプのビットのためにどのＭＩＭＯモードを使用すべきかについての情報を、例えば、レイヤ１（Ｌ１）またはレイヤ（２）メッセージにおいて、ｅノードＢから受信することができる。
【０１０８】
上では機能および要素を特別な組み合わせで説明したが、各機能または要素は、他の機能および要素を伴わずに単独で、または他の機能および要素を伴ってもしくは伴わずに様々な組み合わせで使用することができる。本明細書で提供された方法またはフローチャートは、汎用コンピュータまたはプロセッサによって実行するための、コンピュータ読み取り可能な記憶媒体内に含まれるコンピュータプログラム、ソフトウェア、またはファームウェアで実施することができる。コンピュータ読取可能な記憶媒体の例は、リードオンリメモリ（ＲＯＭ）、ランダムアクセスメモリ（ＲＡＭ）、レジスタ、キャッシュメモリ、半導体メモリデバイス、内蔵ハードディスクおよび着脱可能ディスクなどの磁気媒体、光磁気媒体、ならびにＣＤ−ＲＯＭディスクおよびデジタル多用途ディスク（ＤＶＤ）などの光媒体を含む。
【０１０９】
適切なプロセッサは、例えば、汎用プロセッサ、専用プロセッサ、従来型プロセッサ、デジタル信号プロセッサ（ＤＳＰ）、複数のマイクロプロセッサ、ＤＳＰコアと連携する１つもしくは複数のマイクロプロセッサ、コントローラ、マイクロコントローラ、特定用途向け集積回路（ＡＳＩＣ）、フィールドプログラマブルゲートアレイ（ＦＰＧＡ）回路、他の任意のタイプの集積回路（ＩＣ）、および／または状態機械を含む。
【０１１０】
ソフトウェアと連携するプロセッサは、無線送受信ユニット（ＷＴＲＵ）、ユーザ機器（ＵＥ）、端末、基地局、無線ネットワークコントローラ（ＲＮＣ）、または任意のホストコンピュータで使用するための、無線周波数トランシーバを実施するために使用することができる。ＷＴＲＵは、カメラ、ビデオカメラモジュール、テレビ電話、スピーカフォン、バイブレーションデバイス、スピーカ、マイクロフォン、テレビトランシーバ、ハンズフリーヘッドセット、キーボード、Ｂｌｕｅｔｏｏｔｈ（登録商標）モジュール、周波数変調（ＦＭ）ラジオユニット、液晶表示（ＬＣＤ）ディスプレイユニット、有機発光ダイオード（ＯＬＥＤ）ディスプレイユニット、デジタル音楽プレーヤ、メディアプレーヤ、ビデオゲームプレーヤモジュール、インターネットブラウザ、および／または任意の無線ローカルエリアネットワーク（ＷＬＡＮ）もしくは超広帯域（ＵＷＢ）モジュールなど、ハードウェアおよび／またはソフトウェアで実施されるモジュールと併せて使用することができる。
【０１１１】
実施形態。
【０１１２】
１．ＬＴＥ−Ａ物理アップリンク共用チャネル（ＰＵＳＣＨ）のためのデータおよび制御多重化を実行するための方法であって、１つまたは複数のコードワードの少なくとも１つの符号化されたデータビットと、少なくとも１つの符号化された制御ビットとを処理するステップであって、符号化されたデータビットおよび符号化された制御ビットは、グループに分けられる、ステップを含む方法。
【０１１３】
２．符号化されたデータビットおよび符号化された制御ビットは、Ｎ個のレイヤに対応する、ビットからなるＮ個のグループに分けられる、実施形態１の方法。
【０１１４】
３．符号化されたデータビットおよび符号化された制御ビットをレイヤ毎に多重化するステップをさらに含む、実施形態１〜２のいずれか１つの方法。
【０１１５】
４．多重化は、レイヤ固有であり、異なる数の制御ビットおよびデータビットが、処理される、実施形態３の方法。
【０１１６】
５．論理レイヤマッピング機能を使用して、符号化されたルーティングインジケータ（ＲＩ）および符号化されたハイブリッド自動再送要求（ＨＡＲＱ）ＡＣＫ／ＮＡＣＫを処理するステップをさらに含む、実施形態１〜４のいずれか１つの方法。
【０１１７】
６．レイヤのためのすべてのビットをインタリーブするステップをさらに含む、実施形態１〜５のいずれか１つの方法。
【０１１８】
７．インタリーブは、レイヤ固有であり、異なる数の制御ビットおよびデータビットが、処理される、実施形態６の方法。
【０１１９】
８．ビットは、データビット、ＣＱＩ／ＰＭＩビット、ＲＩビット、およびＡＣＫ／ＮＡＣＫビットを含む、実施形態６の方法。
【０１２０】
９．ビットを連結した後に、符号化されたデータビットおよび符号化された制御ビットを多重化するステップをさらに含む、実施形態１〜８のいずれか１つの方法。
【０１２１】
１０．符号化された制御ビットは、２つのコードワードに分配される、実施形態１〜９のいずれか１つの方法。
【０１２２】
１１．符号化されたデータビットおよび符号化された制御ビットの多重化は、２つのコードワードの各々について実行される、実施形態１０の方法。
【０１２３】
１２．２つのコードワードの少なくとも１つの符号化されたデータビットと、コードワード毎に少なくとも１つの符号化された制御ビットとを、ビットからなるＮ個のグループへと処理するステップであって、ビットからなるＮ個のグループは、Ｎ個のレイヤに対応する、ステップをさらに含む、実施形態１０〜１１のいずれか１つの方法。
【０１２４】
１３．ＲＩビットおよび符号化されたＨＡＲＱ  ＡＣＫ／ＮＡＣＫビットは、２つのコードワードに分配される、実施形態１０〜１２のいずれか１つの方法。
【０１２５】
１４．符号化された制御ビットは、論理レイヤマッピング機能を使用して、２つのコードワードに分配される、実施形態１０〜１３のいずれか１つの方法。
【０１２６】
１５．多重化は、ＨＡＲＱ  ＡＣＫ／ＮＡＣＫが、レイヤ／ストリーム毎に両方のスロット上に存在することを保証する、実施形態１〜１４のいずれか１つの方法。
【０１２７】
１６．ＨＡＲＱ  ＡＣＫ／ＮＡＣＫは、少なくとも１つのアップリンク復調参照信号の周辺のリソースにマッピングされる、実施形態１５の方法。
【０１２８】
１７．多重化は、制御情報およびデータ情報が、異なる変調シンボルにマッピングされることを保証する、実施形態１５〜１６のいずれか１つの方法。
【０１２９】
１８．制御ビットは、Ｎ回繰り返され、Ｎ個のコードワードにマッピングされる、実施形態１〜１７のいずれか１つの方法。
【０１３０】
１９．制御ビットは、同じコードワードのレイヤの間に等しく分配される、実施形態１８の方法。
【０１３１】
２０．制御ビットは、Ｎ回繰り返され、Ｎ個のレイヤ／ストリームにマッピングされる、実施形態１〜１９のいずれか１つの方法。
【０１３２】
２１．制御ビットは、１つのコードワード、ストリーム、またはレイヤにおいて送信される、実施形態２０の方法。
【０１３３】
２２．制御ビットは、すべてのコードワードまたはレイヤ／ストリームにわたって分配される、実施形態１〜２１のいずれか１つの方法。
【０１３４】
２３．コードワードまたはレイヤ／ストリーム当たり等しい量の制御ビットが存在する、実施形態２２の方法。
【０１３５】
２４．コードワードまたはレイヤ／ストリームにマッピングされる制御ビットの量は、コードワードまたはレイヤ／ストリームの変調および符号化方式（ＭＣＳ）によって決定される、実施形態２２〜２３のいずれか１つの方法。
【０１３６】
２５．コードワードまたはレイヤ／ストリームにマッピングされる制御ビットの量は、コードワードまたはレイヤ／ストリームのトランスポートブロックサイズによって決定される、実施形態２２〜２４のいずれか１つの方法。
【０１３７】
２６．実施形態１〜２５のいずれか１つに従って構成された無線送受信ユニット（ＷＴＲＵ）。
【０１３８】
２７．実施形態１〜２５のいずれか１つに従って構成されたノードＢ。
【０１３９】
２８．実施形態１〜２５のいずれか１つに従って構成された集積回路（ＩＣ）。
【図１】
2014064306.tif 000003
【図２】
2014064306.tif 000004
【図３】
2014064306.tif 000005
【図４】
2014064306.tif 000006
【図５】
2014064306.tif 000007
【図６】
2014064306.tif 000008
【図７】
2014064306.tif 000009
【図８】
2014064306.tif 000010
【図９】
2014064306.tif 000011
【図１０】
2014064306.tif 000012
【図１１】
2014064306.tif 000013
【図１２】
2014064306.tif 000014
【図１３】
2014064306.tif 000015
【図１４】
2014064306.tif 000016
【図１５】
2014064306.tif 000017
【図１６】
2014064306.tif 000018
【図１７】
2014064306.tif 000019
【図１８】
2014064306.tif 000020
【図１９】
2014064306.tif 000021
【図２０】
2014064306.tif 000022
【図２１】
2014064306.tif 000023
【図２２】
2014064306.tif 000024
【図２３】
2014064306.tif 000025
【図２４】
2014064306.tif 000026
【図２５】
2014064306.tif 000027
【図２６】
2014064306.tif 000028
【図２７】
2014064306.tif 000029
【図２８】
2014064306.tif 000030